(57)【要約】      （修正有）【課題】本発明は、無線通信システムにおけるランダムアクセスのための方法及び装置を提供する。【解決手段】方法において、ユーザ機器(UE)は、少なくとも1つのUEビームを使用してセルと通信するために、ランダムアクセス手順に関する第1の試行を実行する。そのUEは、第1の試行が失敗した場合に、少なくとも1つの第2のUEビームを使用してそのセルと通信するために、上記のランダムアクセスに関する第2の試行を実行し、第1のUEビームの方向及び第2のUEビームの方向は、異なっている。【選択図】図３２
2018033129.tif 000002
【特許請求の範囲】
【請求項１】
ユーザ機器(UE)によってランダムアクセスを改善する方法であって、
少なくとも1つの第1UEビームを使用してセルと通信するために、ランダムアクセス手順に関する第1試行を実行するステップと、
前記第1試行が失敗した場合に、少なくとも1つの第2UEビームを使用して前記セルと通信するために、前記ランダムアクセス手順に関する第2試行を実行するステップであって、前記第1UEビームの方向及び前記第2UEビームの方向は、異なる、ステップと、を含む、
方法。
【請求項２】
前記第2UEビームは、測定に基づいて選択される、請求項１に記載の方法。
【請求項３】
前記ランダムアクセス手順に関する失敗した試行の数が、閾値と等しいか又は前記閾値よりも大きい場合に、前記第1UEビームは、前記第2UEビームに変更される、請求項１に記載の方法。
【請求項４】
前記第1UEビームを前記第2UEビームに変更する場合に、失敗した試行の数についてのカウンタは、リセットされる、請求項１に記載の方法。
【請求項５】
前記第1UEビームを前記第2UEビームに変更する場合に、失敗した試行の数についてのカウンタは、リセットされない、請求項１に記載の方法。
【請求項６】
前記第1UEビームを前記第2UEビームに変更する場合に、前記ランダムアクセス手順に使用される送信電力は、リセットされる、請求項１に記載の方法。
【請求項７】
前記第1UEビームを前記第2UEビームに変更する場合に、前記ランダムアクセス手順に使用される送信電力は、リセットされない、請求項１に記載の方法。
【請求項８】
前記第1試行は、少なくとも前記第1UEビームを使用して第1ランダムアクセスプリアンブルを送信するステップを含み、前記第2試行は、少なくとも前記第2UEビームを使用して第2ランダムアクセスプリアンブルを送信するステップを含む、請求項１に記載の方法。
【請求項９】
時間期間の間に関連するランダムアクセス応答又は競合解決を受信することができない場合に、前記第1試行は失敗する、請求項１に記載の方法。
【請求項１０】
前記第1UEビームは、測定に基づいて、前記第2UEビームに変更される、請求項１に記載の方法。
【請求項１１】
アップリンク送信を改善するためのユーザ機器(UE)であって、
制御回路と、
前記制御回路に組み込まれているプロセッサと、
前記制御回路に組み込まれているとともに前記プロセッサに接続されているメモリと、を含み、
前記プロセッサは、前記メモリに格納されているプログラムコードを実行して、当該ユーザ機器(UE)が、
少なくとも1つの第1UEビームを使用してセルと通信するために、ランダムアクセス手順に関する第1試行を実行し、
前記第1試行が失敗した場合に、少なくとも1つの第2UEビームを使用して前記セルと通信するために、前記ランダムアクセス手順に関する第2試行を実行する、ことを可能とし、
前記第1UEビームの方向及び前記第2UEビームの方向は、異なる、
ユーザ機器(UE)。
【請求項１２】
前記第2UEビームは、測定に基づいて選択される、請求項１１に記載のユーザ機器(UE)。
【請求項１３】
前記ランダムアクセス手順に関する失敗した試行の数が、閾値と等しいか又は前記閾値よりも大きい場合に、前記第1UEビームは、前記第2UEビームに変更される、請求項１１に記載のユーザ機器(UE)。
【請求項１４】
前記第1UEビームを前記第2UEビームに変更する場合に、失敗した試行の数についてのカウンタは、リセットされる、請求項１１に記載のユーザ機器(UE)。
【請求項１５】
前記第1UEビームを前記第2UEビームに変更する場合に、失敗した試行の数についてのカウンタは、リセットされない、請求項１１に記載のユーザ機器(UE)。
【請求項１６】
前記第1UEビームを前記第2UEビームに変更する場合に、前記ランダムアクセス手順に使用される送信電力は、リセットされる、請求項１１に記載のユーザ機器(UE)。
【請求項１７】
前記第1UEビームを前記第2UEビームに変更する場合に、前記ランダムアクセス手順に使用される送信電力は、リセットされない、請求項１１に記載のユーザ機器(UE)。
【請求項１８】
前記第1試行は、少なくとも前記第1UEビームを使用して第1ランダムアクセスプリアンブルを送信する動作を含み、前記第2試行は、少なくとも前記第2UEビームを使用して第2ランダムアクセスプリアンブルを送信する動作を含む、請求項１１に記載のユーザ機器(UE)。
【請求項１９】
時間期間の間に関連するランダムアクセス応答又は競合解決を受信することができない場合に、前記第1試行は失敗する、請求項１１に記載のユーザ機器(UE)。
【請求項２０】
前記第1UEビームは、測定に基づいて、前記第2UEビームに変更される、請求項１１に記載のユーザ機器(UE)。
【発明の詳細な説明】
【技術分野】
【０００１】
この出願は、2016年7月18日付で出願された米国仮特許出願番号第62/363,535号に基づく優先権を主張し、米国仮特許出願番号第62/363,535号の内容は、その全体が参照により本明細書に取り入れられる。
【０００２】
本開示は、概して、無線通信ネットワークに関し、より具体的には、無線通信システムにおけるランダムアクセスのための方法及び装置に関する。
【背景技術】
【０００３】
モバイル通信デバイスへの大量のデータの通信及びモバイル通信デバイスからの大量のデータの通信に対する需要が急速に増大するのに伴って、伝統的なモバイル音声通信ネットワークは、インターネットプロトコル(IP)データパケットを使用して通信するネットワークへと進化を遂げつつある。そのようなIPデータパケットによる通信は、モバイル通信デバイスのユーザに、ボイスオーバーインターネットプロトコル(VoIP)サービス、マルチメディアサービス、マルチキャストサービス、及びオンデマンド通信サービスを提供することが可能である。
【０００４】
1つの例示的なネットワーク構造は、進化型ユニバーサル地上波無線アクセスネットワーク(E-UTRAN)である。E-UTRANシステムは、上記のボイスオーバーインターネットプロトコル(VoIP)サービス及びマルチメディアサービスを実現することを目的として、高いデータスループットを実現することが可能である。3GPP標準化機構によって、現在、(例えば、5G等の)次世代の新たな無線技術が議論されている。したがって、3GPP規格を進化させ、そして、3GPP規格を終了させるために、3GPP規格の現行の主要部への変更が、現在、提案され、考慮されつつある。
【発明の概要】
【０００５】
本明細書において、無線通信システムにおけるランダムアクセスのための方法及び装置が開示される。1つの方法では、ユーザ機器(UE)は、少なくとも1つの第1のユーザ機器(UE)ビームを使用してセルと通信するために、ランダムアクセス手順に関する第1の試行を実行する。上記の第1の試行が失敗した場合に、少なくとも1つの第2のユーザ機器(UE)ビームを使用してセルと通信するために、ユーザ機器(UE)は、ランダムアクセス手順に関する第2の試行を実行し、第1のユーザ機器(UE)ビームの方向及び第2のユーザ機器(UE)ビームの方向は、異なっている。
【図面の簡単な説明】
【０００６】
【図１】1つの例示的な実施形態にしたがった無線通信システムの略図を示している。
【図２】1つの例示的な実施形態にしたがった(アクセスネットワークとして知られる)送信機システム及び(ユーザ機器又はUEとして知られる)受信機システムのブロック図である。
【図３】1つの例示的な実施形態にしたがった通信システムの機能的なブロック図である。
【図４】1つの例示的な実施形態にしたがった図3のプログラムコードの機能的なブロック図である。
【図５】5Gにしたがった1つのビームの概念を図示している。
【図６】LTEネットワークと同じ場所に位置する独立型の及び集中型の基地局を図示している。
【図７】より低いパフォーマンスのトランスポートによって集中化され共有される無線アクセスネットワーク(RAN)を図示している。
【図８】単一の送信/受信点(TRP)セルを使用する複数の異なる展開シナリオを図示している。
【図９】複数の送信/受信点(TRP)セルを使用する複数の異なる展開シナリオを図示している。
【図１０】複数の送信/受信点(TRP)を有する5Gノードを含む5Gセルを図示している。
【図１１】LTEセルとNRセルとの間の比較を図示している。
【図１２】ランダムアクセス手順に基づく競合を図示している。
【図１３】ランダムアクセス手順に基づく非競合を図示している。
【図１４】初期アクセスについてのフローチャートを図示している。
【図１５】高周波数の新しい無線(HF-NR)システムにおけるビームフォーミングによる利得の比較を図示している。
【図１６】HF-NRシステムにおけるビームフォーミングによって弱められた干渉を図示している。
【図１７】(UEによる検出に基づく)セル変更を伴わない接続された状態におけるモビリティについてのフローチャートを図示している。
【図１８】(ネットワーク検出に基づく)セル変更を伴わない接続された状態におけるモビリティについてのフローチャートを図示している。
【図１９】複数のTRPと関連するランダムアクセスを図示している。
【図２０】ビームフォーミングと関連して図21乃至31において使用されているアイコンを定義している。
【図２１】2つのTRPと関連するLTEランダムアクセスメカニズムを図示している。
【図２２】2つのUE及び2つのTRPと関連するLTEランダムアクセスメカニズムを図示している。
【図２３】(UEによるビームフォーミングを使用しない)ランダムアクセス手順の1つの実施形態を図示している。
【図２４】(UEによるビームフォーミングを使用する)ランダムアクセス手順の1つの実施形態を図示している。
【図２５】(DL/UL相反関係が存在しない)ランダムアクセス手順の1つの実施形態を図示している。
【図２６】ランダムアクセス手順の間の失敗した試行を処理する1つの実施形態を図示している。
【図２７】(UEによるビームフォーミングを使用する)ランダムアクセス手順の1つの実施形態を図示している。
【図２８】(DL/UL相反関係が存在しない)ランダムアクセス手順の1つの実施形態を図示している。
【図２９】ハンドオーバーのためのランダムアクセス手順の1つの実施形態を図示している。
【図３０】(DL/UL相反関係が存在しない)ハンドオーバーのためのランダムアクセス手順の1つの実施形態を図示している。
【図３１】ハンドオーバーのためのランダムアクセス手順の間の失敗した試行を処理する1つの実施形態を図示している。
【図３２】1つの例示的な実施形態にしたがったフローチャートである。
【発明を実施するための形態】
【０００７】
以下で説明される例示的な無線通信システム及び無線通信デバイスは、ブロードキャストサービスをサポートする無線通信システムを使用する。無線通信システムは、広範に展開されて、音声、データ等のさまざまなタイプの通信を提供する。これらのシステムは、符号分割多元接続(CDMA)、時分割多元接続(TDMA)、直交周波数分割多元接続(OFDMA)、3GPP  LTE(ロングタームエボリューション)無線アクセス、3GPP  LTE-A又はLTE-Advanced(ロングタームエボリューションアドバンスト)、3GPP2  UMB(ウルトラモバイルブロードバンド)、WiMax、5Gに使用されるNR(新たな無線)アクセス技術、又はいくつかの他の変調技術に基づいていてもよい。
【０００８】
特に、以下で説明される例示的な無線通信システム及び無線通信デバイスは、本明細書においては3GPPと称される"第3世代パートナーシッププロジェクト"と名付けられる共同事業体によって提案された規格等の1つ又は複数の規格をサポートするように計画されていてもよく、3GPPは、R2-162366,ビームフォーミングの効果、R2-163716,ビームフォーミングに基づく高い周波数の新たな無線(NR)の技術に関する議論、R2-162709,NRにおけるビームのサポート、R2-162762,NRにおけるアクティブモードのモビリティ:高い周波数におけるSINRの低下、R3-160947,TR  38.801  V0.1.0,新たな無線アクセス技術、無線アクセスアーキテクチャ、及び無線アクセスインターフェイスに関する研究、R2-164306, [93bis#23][NR]展開シナリオに関するe-mailによる議論及びRAN2#94議事録の概要、R2-163879,HF-NRにおけるRAN2の効果、R2-162210,ビームレベルの管理<->セルレベルのモビリティ、R2-163471,NRにおけるセルの概念、R2-164270,LTE-NRの密接な相互作用に関する一般的な考慮、TS  36.300;  R2-162251,高い周波数の新たな無線アクセス技術(RAT)のRAN2態様、及びTS  36.321,メディアアクセス制御(MAC)仕様書を含んでもよい。上記に挙げられた規格及び文献は、それらの内容全体が参照により本明細書に明白に取り込まれる。
【０００９】
図1は、本発明の１つの実施形態にしたがった複数アクセスの無線通信システムを示している。アクセスネットワーク(AN)100は、複数のアンテナグループを含み、一方のアンテナグループは、アンテナ104及び106を含み、他のアンテナグループは、アンテナ108及び110を含み、追加のアンテナグループは、アンテナ112及び114を含む。図1においては、各々のアンテナグループについて2つのみのアンテナが示されているが、各々のアンテナグループについてより多くのアンテナ又はより少ないアンテナを使用してもよい。アクセス端末(AT)116は、アンテナ112及び114と通信状態にあり、アンテナ112及び114は、順方向リンク120を介してアクセス端末116に情報を送信し、逆方法リンク118を介してアクセス端末116から情報を受信する。アクセス端末(AT)122は、アンテナ106及び108と通信し、アンテナ106及び108は、順方向リンク126を介してアクセス端末(AT)122に情報を送信し、逆方向リンク124を介してアクセス端末(AT)122から情報を受信する。周波数分割複信(FDD)システムにおいては、通信リンク118、120、124、及び126は、通信のために異なる周波数を使用してもよい。例えば、順方向リンク118は、逆方向リンク120によって使用される周波数とは異なる周波数を使用してもよい。
【００１０】
アンテナ及び/又はそれらのアンテナが通信するように設計される範囲の各々のグループは、アクセスネットワークのセクターと称されることがよくある。その実施形態において、複数のアンテナグループは、各々、通信して、アクセスネットワーク100によって取り扱われる範囲のセクターにおいて複数のアクセス端末と通信するように設計される。
【００１１】
順方向リンク120及び126を介しての通信の場合には、アクセスネットワーク102の送信アンテナは、複数の異なるアクセス端末116及び122のための順方向リンクの信号対雑音比を改善するために、ビームフォーミングを使用してもよい。また、ビームフォーミングを使用してアクセスネットワークのカバレッジにわたって無作為に散らばっている複数のアクセス端末に送信するアクセスネットワークは、通常、アクセスネットワークのアクセス端末のすべてに対して単一のアンテナを介して送信するアクセスネットワークよりも、隣接セルに存在するアクセス端末に対して生じさせる干渉をより小さくすることができる。
【００１２】
アクセスネットワーク(AN)は、複数の端末と通信するのに使用される固定局又は基地局であってもよく、アクセスポイント、NodeB、基地局、強化型基地局、進化型NodeB(eNB)と称されてもよく、いくつかの他の用語を使用してもよい。アクセス端末(AT)は、ユーザ機器(UE)、無線通信デバイス、端末、アクセス端末、又はその他の名称で呼ばれてもよい。
【００１３】
図2は、多入力多出力(MIMO)システム200において(アクセスネットワークとして知られていてもよい)送信機システム210及び(アクセス端末(AT)又はユーザ機器(UE)として知られていてもよい)受信機システム250の1つの実施形態の簡素化されたブロック図である。送信機システム210において、データソース212から送信(TX)データプロセッサ214に、複数のデータストリームのためのトラフィックデータを提供してもよい。
【００１４】
1つの実施形態において、それぞれの送信アンテナを介して各々のデータストリームを送信してもよい。送信(TX)データプロセッサ214は、そのデータストリームのために選択されたある特定の符号化スキームに基づいて、各々のデータストリームのためのトラフィックデータをフォーマットし、符号化し、そしてインターリーブして、符号化されたデータを提供する。
【００１５】
OFDM技術を使用して、各々のデータストリームについての符号化されたデータをパイロットデータと多重化してもよい。パイロットデータは、通常、既知のデータパターンであり、その既知のデータパターンは、既知の方法で処理され、受信機システムにおいて、チャネル応答を推定するのに使用されてもよい。上記のデータストリームのために選択された(例えば、バイナリ位相シフトキーイング(BPSK)、直角位相シフトキーイング(QPSK)、M値PSK(M-PSK)、又は、M値直交振幅変調(M-QAM)等の)ある特定の変調スキームに基づいて、各々のデータストリームについて多重化されたパイロットデータ及び符号化されたデータを、(例えば、シンボルへマッピングする等により)変調して、変調シンボルを提供してもよい。プロセッサ230によって実行される複数の命令によって、各々のデータストリームについてのデータレート、符号化、及び変調を決定してもよい。
【００１６】
すべてのデータストリームについての複数の変調シンボルは、その後、送信(TX)MIMOプロセッサ220に提供され、送信(TX)MIMOプロセッサ220は、(例えば、OFDMのために)それらの複数の変調シンボルをさらに処理してもよい。TX  MIMOプロセッサ220は、その後、NT個の送信機(TMTR)222a乃至222tに、NT個の変調シンボルストリームを提供する。複数の実施形態において、TX  MIMOプロセッサ220は、データストリームのそれらのシンボル及びシンボルが送信されるアンテナにビームフォーミングの重みを適用してもよい。
【００１７】
各々の送信機222は、それぞれのシンボルストリームを受信して処理することにより、1つ又は複数のアナログ信号を提供してもよく、さらに、それらのアナログ信号を(例えば、増幅器、フィルタ、及びアップコンバータ等によって)条件づけることにより、MIMOチャネルを介しての送信に適する変調された信号を提供してもよい。送信機222a乃至222tからのNT個の変調された信号は、それぞれ、NT個のアンテナ224a乃至224tから送信される。
【００１８】
受信機システム250においては、NR個のアンテナ252a乃至252rによって、複数の変調されるとともに送信された信号を受信し、各々のアンテナ216からの受信された信号を、それぞれの受信機(RCVR)254a乃至254rに提供する。各々の受信機254は、それぞれの受信した信号を(例えば、フィルタ、増幅器、及びダウンコンバータ等によって)条件付け、それらの条件づけた信号をディジタル化して、複数のサンプルを提供し、そして、それらの複数のサンプルをさらに処理することにより、対応する"受信した"シンボルストリームを提供する。
【００１９】
受信(RX)データプロセッサ260は、その後、NR個の受信したシンボルストリームをNR個の受信機254から受信し、ある特定の受信機処理技術に基づいて、それらのNR個の受信したシンボルストリームを処理して、NT個の"検出した"シンボルストリームを提供する。RXデータプロセッサ260は、その後、各々の検出したシンボルストリームを復調し、ディインターリーブし、そして、復号化して、そのデータストリームについてのトラフィックデータを回復する。RXデータプロセッサ260による処理は、送信機システム210においてTX  MIMOプロセッサ220及びTXデータプロセッサ214によって実行される処理に対して相補的な処理になっている。
【００２０】
プロセッサ270は、(以下で説明されるように)いずれのプリコーディング行列を使用するかを周期的に決定する。プロセッサ270は、行列インデックス部分及びランク値部分を含む逆方向リンクメッセージ(reverse  link  message)を編成する。
【００２１】
上記の逆方向リンクメッセージは、通信リンク及び/又は受信したデータストリームに関する様々なタイプの情報を含んでいてもよい。逆方向リンクメッセージは、その後、送信(TX)データプロセッサ238によって処理され、変調器280によって変調され、送信機254a乃至254rによって条件づけられ、送信機システム210に送信され、その際、TXデータプロセッサ238は、データソース236から複数のデータストリームについてのトラフィックデータを受信する。
【００２２】
送信機システム210において、受信機システム250からの変調された信号は、アンテナ224によって受信され、受信機222によって条件づけられ、復調器240によって復調され、そして、RXデータプロセッサ242によって処理されて、受信機システム250によって送信された逆方向リンクメッセージを抽出する。プロセッサ230は、その後、ビームフォーミングの重みを決定するためにいずれのプリコーディング行列を使用するかを決定し、その後、抽出したメッセージを処理する。
【００２３】
図3に移ると、図3は、本発明の1つの実施形態にしたがった通信デバイスの代替的な簡素化された機能ブロック図を示している。図3に示されているように、無線通信システムにおける通信デバイス300は、図1のUE(又はAT)116及び122又は図1の基地局(又はAN)100を実現するのに利用されてもよく、無線通信システムは、好ましくは、LTEシステムである。通信デバイス300は、入力デバイス302、出力デバイス304、制御回路306、中央処理装置(CPU)308、メモリ310、プログラムコード312、及びトランシーバー314を含んでもよい。制御回路306は、CPU308によりメモリ310の中のプログラムコード312を実行し、それによって、通信デバイス300の動作を制御してもよい。通信デバイス300は、キーボード又はキーパッド等の入力デバイス302によりユーザによって入力された信号を受信してもよく、モニタ又はスピーカ等の出力デバイス304を介して画像及び音声を出力してもよい。トランシーバー314は、無線信号を送信して受信するのに使用されてもよく、受信された信号を制御回路306に配送し、制御回路306によって生成された信号を無線で出力する。無線通信システムの通信デバイス300は、図1のAN100を実現するのに利用されてもよい。
【００２４】
図4は、本発明の1つの実施形態にしたがった図3に示されているプログラムコード312の簡素化されたブロック図である。この実施形態においては、プログラムコード312は、アプリケーション層400、レイヤ3部分402、及びレイヤ2部分404を含み、レイヤ1部分406に接続されてもよい。レイヤ3部分402は、一般的に、無線リソース制御を実行する。レイヤ2部分404は、一般的に、リンク制御を実行する。レイヤ1部分406は、一般的に、物理接続を実行する。
【００２５】
次世代の(すなわち、5Gの)アクセス技術に関する3GPP標準化活動は、2015年の3月から開始されている。次世代アクセス技術は、ITU-R  IMT-2020、強化型モバイルブロードバンド(eMBB)、大規模マシン型通信(mMTC)、及び超高信頼性及び低遅延通信(URLLC)によって規定されているより長期的な要件及び差し迫った市場の要求の双方を満たすための利用のシナリオの以下の3つのファミリーをサポートすることを目的としている。
【００２６】
新たな無線アクセス技術に関する5Gの検討事項の目的は、新たな無線システムに要求される技術的構成要素を特定し、そして、それらの技術的構成要素を開発することにあり、新たな無線システムは、少なくとも最大で100[GHz]までの範囲にあるいずれかのスペクトラム帯域幅を使用することを可能とすることを予定されている。最大で100[GHz]までのキャリア周波数をサポートしようとすると、無線伝搬の領域においていくつかの課題に直面する。キャリア周波数が高くなるに伴い、経路損失も増大する。
【００２７】
3GPP  R2-162366によれば、(例えば、6[GHz]よりも低い現在のLTE帯域等の)より低い周波数帯域においては、要求されるセルカバレッジは、ダウンリンクに共通の複数のチャネルを送信するための幅広いセクタービームを形成することによって提供される。しかしながら、(6[GHz]よりもかなり高い)より高い周波数において幅広いセクタービームを利用する場合には、同じアンテナ利得に対して、セルカバレッジが縮小する。したがって、より高い周波数帯域において、要求されるセルカバレッジを提供する際に、増加する経路損失を補償するのに、より高いアンテナ利得が必要となる。幅広いセクタービームにわたってアンテナ利得を増加させるために、(アンテナ素子の数が数十から数百の範囲にある)より大規模なアンテナアレイが、高利得のビームを形成するのに使用される。
【００２８】
結果として、高利得のビームは、幅広いセクタービームと比較して狭いので、要求されるセル領域を覆うのに、ダウンリンクに共通の複数のチャネルを送信するための数多くのビームが必要とされる。アクセスポイントが形成することが可能であるとともに同時に形成される高利得のビームの数は、利用されるトランシーバーのアーキテクチャのコスト及び複雑さにより制限される可能性がある。実際には、より高い周波数においては、同時に形成される高利得のビームの数は、セル領域を覆うのに必要となるビームの総数よりもかなり少なくなる。言い換えると、アクセスポイントは、いずれかの与えられた時間において、複数のビームからなるサブセットを使用することにより、そのセル領域の一部を覆うことができるにすぎない。
【００２９】
3GPP  R2-163716によれば、ビームフォーミングは、指向性を有する信号の送信/受信のためのアンテナアレイにおいて使用される1つの信号処理技術である。ビームフォーミングを使用して、特定の角度の信号が建設的な干渉を受ける一方で、他方の信号が相殺的な干渉を受けるように、アンテナのフェイズドアレイの中の複数の要素を組み合わせることにより、ビームを形成することが可能である。アンテナの数多くのアレイを使用して、同時に複数の異なるビームを利用することが可能である。
【００３０】
3GPP  R2-162709によれば、図5に示されているように、eNBは、(集中して配置されているか或いは分散されているかを問わず)複数の送信/受信点(TRP)を有していてもよい。各々のTRPは、複数のビームを形成することができる。対象となる時間/周波数領域におけるビームの数及び同時に形成されるビームの数は、そのTRPにおけるアンテナアレイ素子の数及び無線周波数(RF)によって決まる。新しい無線アクセス技術(RAT)(NR)についての潜在的なモビリティのタイプは、TRP内のモビリティ、TRP間のモビリティ、及びNR  eNB間のモビリティであってもよい。
【００３１】
3GPP  R2-162762によれば、より高い周波数において動作するとともに完全にビームフォーミングに依存するシステムの信頼性は、そのカバレッジが時間の変動及び空間の変動の双方に対してより敏感になる可能性があるので、厳しいものとなる可能性がある。その結果として、その狭いリンクの信号対干渉雑音比(SINR)は、LTEの場合のSINRよりもいっそう急速に低下するであろう。
【００３２】
百単位の複数の要素を有するアクセスノードにおいて複数のアンテナアレイを使用すると、ノードごとに数十或いは数百の候補ビームを有する極めて均一なビーム格子のカバレッジパターンを形成することが可能である。そのようなアレイによる個々のビームのカバレッジエリアは、幅が数十メートルのオーダーに至る程度の小ささになる可能性がある。結果として、現在のサービングビーム領域の外側でのチャネル品質の低下は、LTEによって提供される広範囲のカバレッジの場合のチャネル品質の低下よりも急速である。
【００３３】
3GPP  R3-160947によれば、図6及び図7に図示されているシナリオは、NR無線ネットワークアーキテクチャを前提としているものとして考慮されるべきである。
【００３４】
マクロセルのみの展開、マクロセルとスモールセルとを組み合わせたヘテロジニアス展開、及びスモールセルのみの展開等の独立型NRのためのセルレイアウトについての以下のシナリオが収集されて検討される。
【００３５】
3GPP  RAN2#94議事録によれば、1つのNR  eNBは、1つ又は複数の送信/受信点(TRP)に対応している。そして、"セル"レベルで駆動される無線リソース制御(RRC)及び(例えば、メディアアクセス制御(MAC)/物理層(PHY)における)ゼロ/最小RRC関与といった2つのレベルのネットワークによって制御されるモビリティが存在する。
【００３６】
3GPP  R2-162210によれば、5Gにおいては、2レベルのモビリティの取り扱いの原理は、場合によっては、セルレベルのモビリティ(すなわち、アイドル状態(IDLE)におけるセル選択/再選択、接続状態(CONN)での又はCONNにおいてRRCによって取り扱われるハンドオーバー)或いはビームレベル管理(すなわち、L1が、UEのために使用するTRP及び最適なビーム方向の適切な選択を処理する)に保たれてもよい。
【００３７】
5Gシステムは、UEのモビリティを取り扱うために、従来のハンドオーバーベースのUEモビリティのほかに、"ビームベースのモビリティ"に大きく依存することが見込まれる。多入力多出力(MIMO)、フロントホーリング、クラウドRAN(C-RAN)、及びネットワーク機能の仮想化(NFV)等の技術は、1つの"5Gノード"によって制御されるカバレッジエリアを広くすることを可能にし、これにより、ビームレベル管理の実現性を増加させ、セルレベルのモビリティの必要性を減少させる。理論的には、ビームレベル管理に基づいて1つの5Gノードのカバレッジエリアの中のモビリティのすべてを取り扱うことが可能であり、他の5Gノードのカバレッジエリアへのモビリティのためのみにハンドオーバーを使用する余地を残すであろう。
【００３８】
図8乃至11は、5G  NRでのセルの概念のいくつかの例を示している。図8は、単一のTRPによるセルを使用する複数の異なる展開のシナリオを示している。図9は、複数のTRPによるセルを使用する複数の異なる展開のシナリオを示している。図10は、複数のTRPを有する1つの5Gノードを含む1つの5Gセルを示している。図11は、LTEセルとNRセルとの間の比較を示している。
【００３９】
3GPP  TS  36.300によれば、
-  RRC_IDLE状態からの初期アクセス、
-  RRC接続再確立手順、
-  ハンドオーバー、
-  例えば、アップリンク(UL)同期状態が"同期されていない"状態である場合に、ランダムアクセス手順を必要とするRRC_CONNECTED状態の間のDLデータの到来等の、プライマリーセル(PCell)に関するイベントのために、ランダムアクセス手順が実行される。
-  例えば、UL同期状態が"同期されていない"状態である場合、又は、利用可能なスケジューリング要求(SR)に対して物理アップリンク制御チャネル(PUCCH)リソースが存在しない場合には、RRC_CONNECTED状態の間のULデータの到来の際に、ランダムアクセス手順が必要となる。
-  例えば、タイミングアドバンスがUEの位置決定のために必要である場合には、RRC_CONNECTED状態の間の位置決定の目的のためにランダムアクセス手順が必要とされる。
【００４０】
ランダムアクセス手順は、セカンダリーセル(SCell)についても実行されて、対応するセカンダリータイミングアドバンスグループ(sTAG)についての時間的な整列を確立する。
【００４１】
さらに、ランダムアクセス手順は、
-  (最初の5つのイベントに適用することが可能な)競合ベースの形態、
-  (ハンドオーバー、ダウンリンク(DL)データの到来、セカンダリータイミングアドバンスグループ(sTAG)のためのタイミングアドバンスの整列を位置調整し取得することのみに適用可能な)非競合ベースの形態、
の2つの異なる形態で行われる。
【００４２】
通常のDL/UL送信は、ランダムアクセス手順の後に行われる。
【００４３】
LTEにおいては、ランダムアクセス(RA)手順の2つのタイプは、競合ベースのランダムアクセス手順及び競合のない(非競合ベースの)ランダムアクセス手順として規定されている。
【００４４】
競合ベースのランダムアクセス手順は、図12に図示されている。
【００４５】
競合ベースのランダムアクセス手順の4つのステップは、以下のようになる。
(1)  アップリンクのランダムアクセスチャネル(RACH)におけるランダムアクセスプリアンブル(メッセージ(Msg)1)
-  定義された2つの可能なグループが存在し、そのうちの1つは、随意的なものである。双方のグループが構成されると、プリアンブルがいずれのグループから選択されるのかということを決定するのに、メッセージ3のサイズ及び経路損失を使用する。プリアンブルが属するグループは、メッセージ3のサイズ及びUEにおける無線状態の指標を提供する。システム情報ブロックにおいて、必要な閾値とともにプリアンブルグループ情報がブロードキャストされる。
(2)  ダウンリンク共有チャネル(DL-SCH)におけるメディアアクセス制御(MAC)によって生成されるランダムアクセス応答(Msg2)
-  (そのサイズが1つ又は複数の送信時間間隔(TTI)となっているフレキシブルウィンドウの中での)メッセージ1との準同期
-  ハイブリッド自動再送要求(HARQ)は行わない
-  物理ダウンリンク制御チャネル(PDCCH)におけるランダムアクセス無線ネットワーク一時識別子(RA-RNTI)へと宛先を指定される
-  少なくとも、RAプリアンブル識別子、プライマリタイミングアドバンスグループ(pTAG)のためのタイミング整列情報、(競合解決に関して永続的であってもよく、又は、永続的でなくてもよい)一時的なC-RNTIの割り当て及び初期のULグラントを搬送する
-  1つのダウンリンク共有チャネル(DL-SCH)メッセージの中でさまざまな数のUEを対象とする
(3)  アップリンク共有チャネル(UL-SCH)における最初のスケジューリングされたUL送信(Msg3)
-  HARQを使用する
-  トランスポートブロックのサイズは、ステップ(2)で搬送されたULグラントによって決まる
-  最初のアクセスのために、
-  無線リソース制御(RRC)層によって生成され、共通制御チャネル(CCCH)によって送信される無線リソース制御(RRC)接続要求を搬送する
-  少なくとも、非アクセス階層(NAS)UE識別子を搬送するが、NASメッセージを搬送しない
-  無線リンク制御(RLC)トランスポートモード(TM):いかなるセグメンテーションも使用しない。
-  RRC接続再確立手順のために、
-  RRC層によって生成され、CCCHによって送信されるRRC接続再確立要求を搬送する
-  RLC  TM:いかなるセグメンテーションも使用しない
-  いかなるNASメッセージも含まない。
-  ハンドオーバーの後に、目標セルにおいて、
-  RRC層によって生成されるとともに専用制御チャネル(DCCH)によって送信される、暗号化されているとともにインテグリティを保護されたRRCハンドオーバー確認を搬送する
-  (ハンドオーバーコマンドによって割り当てられた)UEのセル無線ネットワーク一時識別子(C-RNTI)を搬送する
-  可能である場合には、アップリンクバッファ状態報告を含む。
-  他のイベントのために
-  少なくとも、UEのC-RNTIを搬送する。
(4)  DLに関する競合解決(Msg4)
-  早期の競合解決を使用するものとする、すなわち、eNBは、競合を解決する前のNAS応答を待たない
-  メッセージ3とは同期されない
-  HARQがサポートされている
-  初期のアクセスのためのPDCCHにおける一時的なC-RNTI及び無線リンクに障害が発生した後のPDCCHにおける一時的なC-RNTI
-  RRC_CONNECTED状態にあるUEのためのPDCCHにおけるC-RNTI
-  へと宛先を指定される。
-  競合解決メッセージの中で送り返されるとともにメッセージ3の中に提供される自身のUE識別情報を検出したUEによってのみ、HARQフィードバックが送信される
-  初期アクセス及びRRC接続再確立手順のために、いかなるセグメンテーションも使用しない(RLC-TM)。
【００４６】
一時的なC-RNTIは、ランダムアクセス(RA)手順の成功を検出しているがC-RNTIをまだ持っていないUEについてはC-RNTIに昇格され、他のUEによっては破棄される。RA手順の成功を検出しており、C-RNTIをすでに持っているUEは、自身のC-RNTIを使用することを再開する。
【００４７】
非競合ベースの(競合のない)ランダムアクセス手順は、図13に示されている。
【００４８】
非競合ベースのランダムアクセス手順の3つのステップは、以下のようになる。
(1)  DLにおける専用シグナリングによるランダムアクセスプリアンブルの割当て(Msg0)
-  eNBは、(ブロードキャストシグナリングによって送信されたセットの中には入っていないランダムアクセスプリアンブルである)非競合ランダムアクセスプリアンブルをUEに割り当てる。
-  目標eNBによって生成され、ハンドオーバーのためにソースeNBを介して送信されたハンドオーバー(HO)コマンド、
-  DLデータが到来する場合又は位置決定の場合のPDCCH、
-  セカンダリータイミングアドバンスグループ(sTAG)についての初期のUL時間整列のためのPDCCH、
-  によってシグナリングされる。
(2)  アップリンクでのランダムアクセスチャネル(RACH)におけるランダムアクセスプリアンブル
-  UEは、割り当てられた非競合ランダムアクセスプリアンブルを送信する。
(3)  DL-SCHにおけるランダムアクセス応答(Msg2)
-  (そのサイズが2つ又はそれ以上の送信時間間隔(TTIs)となっているフレキシブルウィンドウの中での)メッセージ1との準同期
-  いかなるHARQも使用しない
-  PDCCHにおけるRA-RNTIへと宛先を指定される
-  少なくとも、
-  ハンドオーバーのための初期のULグラント及びタイミング整列情報、
-  DLデータ到来のためのタイミング整列情報、
-  RAプリアンブル識別子、
を搬送する。
【００４９】
以下の記載では、次の用語及び過程を使用してもよい。
【００５０】
基地局(BS):基地局(BS)とは、NRにおけるネットワーク中央ユニットをいい、1つ又は複数の送信/受信点(TRP)を制御するのに使用され、1つ又は複数の送信/受信点(TRP)は、1つ又は複数のセルと関連している。BSと1つ又は複数のTRPとの間の通信は、フロントホールを介して行われる。BSは、中央ユニット(CU)、eNB、又はNodeBと称されてもよい。
【００５１】
送信/受信点(TRP):送信/受信点(TRP)とは、送信及び受信のための点であって、ネットワークカバレッジを提供し、複数のUEと直接通信する。TRPは、分散ユニット(DU)と称されてもよい。
【００５２】
セル:セルは、1つ又は複数の関連するTRPからなる、すなわち、セルのカバレッジは、1つ又は複数のTRPのすべてのカバレッジからなる。1つのセルは、1つのBSによって制御される。セルは、TRPグループ(TRPG)と称されてもよい。
【００５３】
ビーム掃引(Beam  sweeping):送信及び/又は受信のために複数の可能な方向のすべてを覆う際には、複数のビームを必要とする。これらのビームのすべてを同時に生成するのは可能ではないので、ビーム掃引は、ある1つの時間間隔においてこれらのビームのうちの1つのサブセットを生成し、1つ又は複数の他の時間間隔において1つ又は複数の生成されたビームを変化させること、すなわち、時間領域においてビームを変化させることを意味する。そのようにして、複数の時間間隔の後に、複数の可能な方向のすべてを覆うことが可能となる。
【００５４】
UEビーム:UEビームは、UEのビームであり、ネットワークとの通信、すなわち、送信及び/又は受信のために使用される。
【００５５】
サービングビーム:UEのためのサービングビームは、例えば、送信及び/又は受信のために、例えば、そのUEと通信するのに使用されるTRP等のネットワークによって生成されるビームである。
【００５６】
ネットワーク側については、
・  ビームフォーミングを使用するNRは、 (ネットワークに接続しないで単独で動作する)独立型であってもよい、すなわち、UEは、直接的に、NRに一時的に所属していてもよく(camp  on)、或いは、直接的に、NRに接続されていてもよい。
■  ビームフォーミングを使用するNR及びビームフォーミングを使用しないNRは、例えば、複数の異なるセルの中に併存していてもよい。
・  TRPは、データの送受信及び制御シグナリングの送受信の双方にビームフォーミングを適用することとなる。
■  TRPによって同時に生成されるビームの数は、TRPの能力によって決まり、例えば、同じセルの中で複数の異なるTRPによって同時に生成されるビームの最大数は、同じであってもよく、複数の異なるセルの中で複数の異なるTRPによって同時に生成されるビームの最大数は、異なっていてもよい。
■  ビーム掃引は、あらゆる方向に提供される制御シグナリングに必要となる。
・  同じセルの中の複数のTRPのダウンリンクのタイミングは、同期されている。
・  ネットワーク側のRRC層は、基地局の中に存在する。
TRPは、例えば、UEの複数の異なる能力又はUEの複数の異なるリリース(発売)に起因して、UEビームフォーミングを使用するUE及びUEビームフォーミングを使用しないUEの双方をサポートする必要がある。
【００５７】
UE側については、
・  UEは、受信及び/又は送信のためにビームフォーミングを実行してもよい。
■  UEによって同時に生成されるビームの数は、例えば、1つよりも多くのビームを生成することが可能であるといったように、UEの能力によって決まる。
■  UEによって生成される1つ又は複数のビームは、eNBによって生成される1つ又は複数のビームよりも幅が広い。
■  送信及び/又は受信のためのビーム掃引は、通常、ユーザデータには必要とはならないが、例えば、測定を実行する等の目的で、他のシグナリングのために必要となる場合がある。
■  例えば、UEの能力に起因して、すべてのUEがUEビームフォーミングをサポートするとは限らず、或いは、UEビームフォーミングは、最初の(数回の)リリースに関するNRの中ではサポートされていない。
・  あるUEは、同時に複数のUEビームを生成することが可能であるとともに、同じセルの1つ又は複数のTRPからの複数のサービングビームによって取り扱われる(サービスを提供される)ことが可能である。
■  ダイバーシティ利得又はスループット利得のために、複数の異なるビームを使用して、同一の無線リソースによって、同一の(DL又はUL)データ或いは異なる(DL又はUL)データを送信してもよい。
接続状態(又はアクティブ状態と呼ばれる)及び非接続状態(又は非アクティブ状態又はアイドル状態と呼ばれる)の少なくとも2つのUEの通信状態(RRC状態)が存在する。
【００５８】
UEが電源をオンにした後に、そのUEは、一時的に所属するべきセルを見つける必要がある。その後、UEは、登録及び/又はデータ送信のために、自動的に、ネットワークへの接続確立を開始してもよい。或いは、ネットワークは、例えば、そのUEにDLデータを送信するために、ページングによって、そのネットワークへの接続確立を開始するようにそのUEに要求してもよい。
【００５９】
初期のアクセスの場合には、以下のステップを含んでもよい。
・  セルサーチ
セルを発見するために、可能なキャリア周波数をスキャンしてもよい。そのセルは、ビーム掃引によって、UEがそのセルを識別するための、例えば、同期信号等のシグナリングを提供してもよい。同じセルの複数の異なるTRPは、1つ又は複数の同じ時間間隔において、同じシグナリングを提供することとなる。
・  ブロードキャストされたシステム情報の取得
UEは、ブロードキャストされたシステム情報から、例えば、セル選択に関する必要なパラメータを取得する。ブロードキャストされたシステム情報は、ビーム掃引によって提供される。
・  セル測定及び選択
UEが一時的に所属することが可能なセルを発見した後に、そのUEは、そのセルの無線状態を測定して、その測定された結果に基づいて、そのセルに一時的に所属するべきか否かを決定する必要がある。そのセルは、ビーム掃引によって、例えば、参照信号等の測定のためのシグナリングを提供する。同じセルの複数の異なるTRPが、1つ又は複数の同じ時間間隔においてそのシグナリングを提供することとなる。
・  ページング
ネットワークがUE特有のシグナリング/UE特有のデータを送信することを望んでおり、そのUEが非接続状態にある場合に、ページングが必要となる場合がある。そのUEがページングを受信すると、そのUEは、接続確立を開始し、受信のために接続状態に入る必要がある。そのセルは、ビーム掃引によってページングを提供する。
・  接続確立
UEは、接続確立手順によって基地局(BS)への接続を確立する。その接続確立手順の間に、UEは、ランダムアクセス手順を実行して、そのネットワークが、UEに気付くようにさせるとともに、そのネットワークが、そのUEにUL送信のためのリソースを提供するようにさせる必要がある。接続が確立された後に、そのUEは、接続状態に入る。接続確立手順の間に、後に続く1つ又は複数の送信のために使用される1つ又は複数の初期ビームを決定することになるであろう。
【００６０】
図14は、初期アクセスのためのフローチャートの1つの例を図示している。
【００６１】
UEがあるセルに一時的に所属した後に、そのUEが、例えば、アイドルモード等の非接続状態になる場合には、そのUEは、複数のビームの間で移動してもよく、又は、そのセルの複数のTRPの間で移動してもよい。或いは、そのUEは、そのセルのカバレッジを離れて、他のセルのカバレッジに移動してもよい。
【００６２】
非接続状態にあるUEについてのモビリティの場合は、以下のタイプを含んでもよい。
・  UEビームの変更
UEが非接続状態にあるときに、UEビームフォーミングを使用すると、例えば、UEの回転によって、1つ又は複数のUEビームが変化する場合がある。
UEは、ビーム掃引を実行し続けて、1つ又は複数のUEビームの変更に起因するシグナリングの欠損を防止する必要がある。
・  同一のセルの間でのサービングビーム又はサービングTRPの変更
UEが一時的に所属しているセルにおいて、UEは、そのUEがシグナリングを受信することができる1つ又は複数のTRPによってサービスを提供されてもよい。1つ又は複数のサービングTRPの1つ又は複数のビームは、UEのモビリティによって変化してもよい。UEが一時的に所属しているセルの中で移動している場合には、1つ又は複数のサービングTRPは、変化してもよい。
UEは、1つ又は複数のサービングTRPの複数の異なるビームのための可能な時間間隔のすべてをモニタリングし続ける必要があり、それらの1つ又は複数のサービングTRPは、非接続状態にあるUEのための必要なシグナリングを提供して、シグナリングの欠損を防止する。
・  セル再選択
UEは、そのUEが一時的に所属するサービングセル及びそのサービングセルの隣接セルについての測定を実行し続け、UEは、そのサービングセルを再選択すべきか否かを評価する。UEは、隣接セルのシステム情報を取得して、その隣接セルがより最適であるということをUEが決定する場合には、新たなサービングセルとしてその隣接セルを再選択する。ネットワークからの評価のための複数のパラメータが必要となる。
【００６３】
3GPP  R2-162251によれば、eNB側及びUE側の双方においてビームフォーミングを使用するためには、実際には、eNB側でのビームフォーミングによるアンテナ利得は、およそ15乃至30[dBi]と考えられ、UE側でのビームフォーミングによるアンテナ利得は、およそ3乃至20[dBi]と考えられる。(3GPP  R2-162251において示されている)図15は、ビームフォーミングによる利得補償を図示している。
【００６４】
信号対干渉雑音比(SINR)の観点からは、鋭いビームフォーミングは、ダウンリンクの場合における隣接するeNB又は隣接するeNBに接続されている他のUE等の隣接する干渉による干渉電力を減少させる。送信(TX)ビームフォーミングの場合には、現在のビームが受信(RX)と同じ方向を指している他の送信(TXs)による干渉のみが、"実効的な"干渉となるであろう。その"実効的な"干渉は、干渉電力が実行的な雑音電力よりも高いということを意味している。受信(RX)ビームフォーミングの場合には、ビームの方向がUEの現在の受信(RX)ビーム方向と同じ他の送信(TXs)による干渉のみが、実効的な干渉となるであろう。(3GPP  R2-162251において示される)図16は、ビームフォーミングによって弱められた干渉を図示している。
【００６５】
UEが接続状態にある場合に、そのUEは、同じサービングセルの複数の異なるビームの間で或いは複数のTRPの間で移動する場合がある。それに加えて、UEによるビームフォーミングを使用する場合には、例えば、UEの回転に起因して、1つ又は複数のUEのビームは、時間的に変化する場合がある。
【００６６】
セルの変更を伴わない接続状態でのモビリティの場合は、以下のステップを含む。
・  変更検出のためのシグナリング
1つ又は複数のUEのビーム、1つ又は複数のサービングTRPの1つ又は複数のサービングビーム、及び1つ又は複数のサービングTRPの変更は、UE及び/又はネットワークによって検出されてもよい。それらの変更を検出するために、1つ又は複数のTRP又はUEによって周期的に送信されるシグナリングを使用してもよい。1つ又は複数のTRPは、そのシグナリングの受信又は送信のためにビーム掃引を周期的に実行する。UEのよるビームフォーミングを使用する場合には、UEは、そのシグナリングの受信又は送信のためにビーム掃引を周期的に実行する。
・  UEビームの変更
UEによって変更が検出される場合には、そのUEは、(例えば、時分割複信(TDD)のための以降の送信及び)以降の受信のために1つ又は複数の適切なUEビームを自動的に選択してもよい。代替的に、UEは、ネットワークにフィードバックを提供する必要があり、ネットワークは、ネットワークからUEへのUEビームの変更の指標を提供してもよい。
ネットワークによって変更が検出される場合には、ネットワークからUEへのUEビームの変更の指標が必要となる場合がある。そのUEは、(例えば、TDDのための以降の受信及び)以降の送信のために、ネットワークによって示される1つ又は複数のUEビームを使用する。
・  サービングビーム及び/又はサービングTRPの変更
UEが変更の検出のためのシグナリングを受信した後に、そのUEは、ネットワークにフィードバックを提供する必要がある。ネットワークは、そのUEのための1つ又は複数のダウンリンク(DL)サービングビーム及び/又は1つ又は複数のサービングTRPを変更するか否かを決定してもよい。一方で、1つ又は複数のTRPが変更の検出のためのシグナリングを受信した後に、ネットワークは、そのUEのための1つ又は複数のサービングビーム及び/又は上記の1つ又は複数のサービングTRPを変更するか否かを決定してもよい。
【００６７】
図17及び図18は、セル変更を伴わない接続状態でのモビリティについてのフローチャートの複数の例を図示している。
【００６８】
UEが接続状態にあるときに、そのUEは、サービングセルのカバレッジを離れて、別のセルのカバレッジに移動してもよい。そのUEは、セルの変化の検出に役立つように、測定を実行することが必要となるということが想定される。ネットワークは、例えば、ハンドオーバーによりUEのサービングセルの変化を制御するであろう。
・  測定
UEは、サービングセル及びそのサービングセルの隣接セルについての測定を実行して、測定の構成に基づいて、より良いサービングセルを発見する必要がある。測定に使用されるシグナリングは、ビーム掃引によって提供される。UEによるビームフォーミングを使用する場合には、そのUEは、シグナリングの受信のために、ビーム掃引を実行する。
さらに、UEは、いずれかの無線リンクの障害を検出するために、サービングセルの無線品質をモニタリングする必要がある。無線リンクの障害を検出した場合には、UEは、その無線リンクの回復を試みる必要がある。
・  測定報告
測定結果に基づいて、UEは、サービング基地局(BS)に測定報告を提供する必要がある。
・  ハンドオーバーの開始
測定報告にしたがって、サービングBSは、そのサービングBSと隣接BSとの交渉に基づき、その隣接BSと関連する目標セルにUEをハンドオーバーさせるということを決定してもよい。その後、サービングBSは、目標セルを示すハンドオーバーコマンドをそのUEに送信するであろう。
・  目標セルへのハンドオーバー
UEは、現在継続中のサービスを持続するために、目標セルへの接続を試みる必要がある。モビリティによる中断が0[ms]であることが要求されるため、UEが目標セルへの接続を試みる際にも、そのUEとソースセルとの間の接続を維持する必要がある。UEが目標セルへのアクセスに成功した後に、上記の接続は解除されてもよい。ハンドオーバー期間の間に、UEは、ランダムアクセス手順を実行して、目標セルがそのUEに気付くようにさせる必要がある。
【００６９】
1つのセルは複数のTRPから構成されていてもよいので、UEは、そのセルの複数のTRPのカバレッジの中に存在していてもよい。このシナリオでは、(例えば、競合による失敗等の)失敗の場合も含めてランダムアクセス手順の動作を考慮すべきである。図19は、複数のTRPに関連するランダムアクセスの1つの例を図示している。
【００７０】
これらには限定されないが、減少した電力消費、手順を完了するための遅延、及び/又は競合の可能性等のランダムアクセス手順の間にもたらされるいずれかの情報を考慮すべきである。
【００７１】
さらに、セルは、ビームフォーミングを使用するUE及びビームフォーミングを使用しないUEの双方をサポートするであろう。これらのUEは、同時に、ランダムアクセスを実行することが可能である。存在するとしたら、この要因による影響を分析し、改善するべきである。
【００７２】
図21乃至図31において図示されているアイコンの意味は、図20に示されている。
【００７３】
例えば、初期のアクセスのために使用される競合ベースのランダムアクセスについては、競合の可能性があり、競合の解決が必要となる。ランダムアクセス手順に複数のTRPが関与する可能性があるシナリオでは、それらのTRPの1つ又は複数のビームを使用して1つ又は複数のTRPによって、1つのUEが送信した1つのランダムアクセスプリアンブルを受信してもよい、すなわち、これらのTRPが、同じプリアンブルのリソースを共有していると仮定する。そのとき、複数のTRPが、例えば、Msg2等の、そのプリアンブルに対する複数の応答を提供するであろう。基本的概念として3GPP  TS  36.321の中で開示されているLTEのランダムアクセスメカニズムを考慮すると、UEは、通常、最初に受信した応答によって提供されるアップリンク(UL)グラントを利用して、Msg3の送信を実行する。結果として、1つ又は複数の他の応答のためのリソースが、不必要に浪費されている可能性がある。
【００７４】
図21の例は、LTEのランダムアクセスメカニズムが、図19のUE1によって使用されるということを示している。図21は、TRP2からのMsg2のためのリソースが不必要に浪費されているということを示している。
【００７５】
図22の他の例は、ランダムアクセスの競合が図19のUE1及びUE2について発生しているということを示している。図22は、TRP2からのMsg2のためのリソースが不必要に浪費されているということを示している。図22は、最初に受信した応答が最も適切な応答であるとは限らないということを示している。
【００７６】
上記の問題を解決するために、以下で説明される1つ又は複数の動作を使用してランダムアクセス手順を実行する代替的な方法を使用してもよい。
【００７７】
ダウンリンク(DL)チャネルとアップリンク(UL)チャネルとが、例えば、時分割複信(TDD)の場合等のように相反する関係にある場合に、複数のTRPがビームフォーミングの能力を有しているが、UEはビームフォーミングの能力を有していないシナリオでは、(例えば、4つの応答確認ステップが存在する)LTEと同様の競合ベースのランダムアクセス手順が使用されるであろうということが想定される。そのランダムアクセス手順は、図23に図示されているステップを有している。
・  TRPの選択
ランダムアクセス手順を開始する前に、UEは、複数のTRPによってブロードキャストされているビーム特有参照信号(BRS)又は発見信号等の信号を測定して、いずれのTRPが、接続するのに最良であるか、又は、接続するのに条件を満たしているかを決定するであろう。TRPを選択することは、TRPと関連する測定されたチャネル品質及び/又はTRPの条件を満たしたビームの数に基づいていてもよい。さらに、UEは、例えば、信号を送信するのに使用した時間周波数リソース或いはその信号に含まれるTRPの情報等の信号から得られる情報に基づいて、複数の異なるTRPを区別してもよい。UEがTRPを選択した後に、そのUEは、ランダムアクセス手順を開始してもよい。
・  Msg1の送信
UEは、例えば、物理ランダムアクセスチャネル(PRACH)においてMsg1を使用して、UEがいずれのTRPにアクセスすることを望んでいるかを黙示的に或いは明示的に示してもよい。黙示的な指示又は明示的な指示のいくつかの代替的な方法は、以下のようになる。
-  Msg1のための送信リソースは、例えば、異なるタイミング及び/又は異なる周波数といったように、複数の異なるTRPについて異なっていてもよい。UEは、複数のTRPから送信される(例えば、ビーム特有参照信号(BRS)、同期信号、システム情報信号等の)ブロードキャスト信号からMsg1のための対応する送信リソースを導き出してもよい。
-  Msg1によって搬送されるプリアンブルインデックスは、複数の異なるTRPについて異なっていてもよい。例えば、プリアンブルインデックス0乃至4は、TRP1のためのプリアンブルインデックスであり、プリアンブルインデックス5乃至9は、TRP2のためのプリアンブルインデックスである等である。
-  Msg1は、例えば、部分的な情報又は完全な情報として、TRPを示すための指標を搬送してもよい。例えば、2ビットの指標は、4つの周辺のTRPが存在する場合については十分である。
いくつかのTRPが同じUEからMsg1を受信してもよいので、Msg1を使用してそのような指標を提供することの目的は、複数のTRPが、例えば、Msg2等の1つ又は複数の応答を提供するべきか否かを決定するのを支援して、シグナリングオーバーヘッドを防止することである。
TRPによってMsg1を受信するのに使用される1つ又は複数のビームは、Msg2及びMsg4を送信するのに使用される1つ又は複数のビーム又はMsg3を受信するのに使用される1つ又は複数のビームであってもよい。
・  Msg2の受信
TRPがMsg1を受信するために実行するTRPのビーム掃引に起因して、UEが複数回Msg1を送信する必要がある場合には、例えば、モニタリングウィンドウの始端等のMsg2のモニタリングを開始する時間は、Msg1の全く最初の送信に基づいている必要がある。Msg2をモニタリングする継続時間は、Msg1が送信される回数に基づいている。
ランダムアクセス応答等のMsg2は、いずれのTRPがMsg2を送信したかを黙示的に又は明示的に示してもよい。黙示的な指示又は明示的な指示のいくつかの代替的な方法は、以下のようになる。
-  Msg2は、例えば、TRPに特有のRA-RNTI等のシーケンスによってスクランブル(scrambled)されてもよい。そのシーケンスは、例えば、RA-RNTI＝1＋t_id＋10＊f_id＋100＊TRP_idにしたがって、TRP情報に基づいて計算される。Msg2が選択されたTRPによって送信された場合には、UEは、Msg2のスクランブル解除(descrambled)に成功するであろう。
-  Msg2は、例えば、TRP情報等の指標を搬送して、Msg2を送信したTRPを示してもよい。
その指標を使用して、UEは、そのMsg2が、そのUEに向けられたMsg2であるのか、又は、1つ又は複数の他のTRPを選択した1つ又は複数の他のUEに向けられたMsg2であるのかを決定して、適していないMsg2を使用するのを回避してもよい。
・  Msg3の送信及びMsg4の受信
【００７８】
複数のTRP及びUEの双方がビームフォーミング能力を有しているシナリオにおいては、UEは、図24に示されているランダムアクセス手順のために、TRPを選択するとともに1つ又は複数のUEビームを選択するためのビーム掃引を実行するであろう。
【００７９】
図25は、1つの例を示しており、その例においては、例えば、周波数分割複信(FDD)等のように、ダウンリンク(DL)チャネル及びアップリンク(UL)チャネルについて相反性が想定されない場合に、送信に使用される1つ又は複数のビームは、一対のUE及びTRPの間の受信のために使用される1つ又は複数のビームと同じビームでなくてもよい。シグナリングオーバーヘッド及び遅延を減少させるために、1つ又は複数の適切なTRPビーム及び1つ又は複数の適切なUEビームを、可能な限り早くランダムアクセス手順の期間の間に決定する必要がある。
【００８０】
TRPの複数のビームをUEの側で区別することが可能である場合には、そのUEは、TRPの選択の間に、例えば、最良のビーム又は条件を満たす1つ又は複数のビーム等の1つ又は複数の適切なビームを選択してもよい。その際に、UEは、Msg1を使用して、TRPによる送信のために、そのUEがそのTRPのいずれのビームの使用を提案するかを示してもよい。Msg1を受信した後に、そのTRPは、ビーム掃引を実行することなく、1つ又は複数の示されたビームを使用して、Msg2及びMsg4を送信してもよい。
【００８１】
UEによるビームフォーミングを使用する場合には、UEは、送信のためのいずれのUEビームがその選択されたTRPに適しているのかを知らない可能性があるため、ビーム掃引を実行して、Msg1を送信する必要がある。そのUEは、Msg1を使用して、Msg1の送信のためにいずれのUEビームが使用されるかを示してもよい。Msg1を受信した後に、TRPは、Msg2を使用して、UEがMsg3を送信するのにいずれのUEビームを使用する必要があるのかを示してもよい。
【００８２】
図26に図示されているランダムアクセス手順の間に、アクセスするいくつかの試行をUEによって実行してもよい。例えば、ある時間期間の間に関連するMsg2又はMsg4を受信することができない場合には、ある試行は成功しなかったと考えられてもよい。ある1つの試行が成功しなかったと考えられる状況に対処するためのいくつかの代替的な方法が存在する。
・  代替方法1:バックオフの実行及び送信電力の増加
失敗した試行の数がある閾値よりも小さい場合には、UEは、ある時間期間の間、待機し、次の試行のために送信電力を増加させてもよい。
・  代替方法2:ビームの更新  /  代替方法3:TRPの更新
UEは、1つ又は複数のTRPによってブロードキャストされた複数の信号を測定して、選択されたTRP、1つ又は複数の選択されたTRPビーム、及び/又は1つ又は複数の選択されたUEビームを更新するべきか否かを検査してもよい。失敗した試行の数がある閾値よりも大きい場合には、検査を実行してもよい。UEが、選択されたTRP、1つ又は複数の選択されたTRPビーム、及び/又は1つ又は複数の選択されたUEビームを更新することを決定する場合には、失敗した試行の数及び送信電力のカウンタをリセットしてもよい。
・  代替方法4:ランダムアクセス(RA)の問題を上位層に示すこと
(選択されたTRPを更新した回数についてのカウンタ等の)TRP更新カウンタが、最大数に達しているか、又は、UEが、条件を満たすTRP又は条件を満たすビームのいずれも発見できない場合には、UEは、上位層にRAの問題を示してもよい。
【００８３】
以下で説明される1つ又は複数の動作を使用してランダムアクセス手順を動作させる他の代替的な方法を使用してもよい。
【００８４】
例えば、TDDの場合のように、DLチャネルとULチャネルが相反する関係にある場合には、ランダムアクセス手順は、図27に示されているようなステップを有する。
・  (選択的な)TRPの選択
ランダムアクセス手順を開始する前に、UEは、複数のTRPによってブロードキャストされているビーム特有参照信号(BRS)又は発見信号等の信号を測定して、いずれのTRPが、接続するのに最良であるか、又は、接続するのに条件を満たしているかを決定してもよい。TRPを選択することは、TRPと関連する測定されたチャネル品質及び/又はTRPの条件を満たしたビームの数に基づいていてもよい。さらに、UEは、例えば、信号を送信するのに使用した時間周波数リソース或いはその信号に含まれるTRPの情報等の信号から得られる情報に基づいて、複数の異なるTRPを区別してもよい。UEがTRPを選択した後に、そのUEは、ランダムアクセス手順を開始してもよい。
・  Msg1の送信
複数のTRPが、同じUEからのMsg1を受信してもよく、また、個別にMsg2で応答してもよい(Msg2は、異なるタイミングアドバンス(TA)、アップリンク(UL)グラント、及び/又は一時的なセル−無線ネットワーク一時識別子(TC-RNTI)を含んでもよい)。TRPによってMsg1を受信するのに使用される1つ又は複数のビームは、Msg2及びMsg4を送信するのに使用される1つ又は複数のビーム又はMsg3を受信するのに使用される1つ又は複数のビームであってもよい。
・  Msg2の受信
TRPがMsg1を受信するために実行するTRPのビーム掃引に起因して、UEが複数回Msg1を送信する必要がある場合には、例えば、モニタリングウィンドウの始端等のMsg2のモニタリングを開始する時間は、Msg1の全く最初の送信に基づいている必要がある。Msg2をモニタリングする継続時間は、Msg1を送信する回数に基づいている。
ランダムアクセス応答等のMsg2は、いずれのTRPがMsg2を送信したかを黙示的に又は明示的に示してもよい。黙示的な指示又は明示的な指示のいくつかの代替的な方法は、以下のようになる。
-  Msg2は、例えば、TRPに特有のRA-RNTI等のシーケンスによってスクランブル(scrambled)されてもよい。そのシーケンスは、例えば、RA-RNTI＝1＋t_id＋10＊f_id＋100＊TRP_idにしたがって、TRP情報に基づいて計算される。Msg2が選択されたTRPによって送信された場合には、UEは、Msg2のスクランブル解除(descrambled)に成功するであろう。
-  Msg2は、例えば、TRP情報等の指標を搬送して、Msg2を送信したTRPを示してもよい。
その指標を使用して、UEは、例えば、Msg2をモニタリングするある時間期間の間に、最良の信号強度を有する受信したMsg2を選択してもよく、或いは、以前のTRPの選択に基づいて、UEがいずれのMsg2を使用するべきかを決定してもよい。
・  Msg3の送信及びMsg4の受信
【００８５】
図28は、1つの例を示しており、その例においては、例えば、周波数分割複信(FDD)等のように、ダウンリンク(DL)チャネル及びアップリンク(UL)チャネルが相反する関係にない場合に、送信に使用される1つ又は複数のビームは、一対のUE及びTRPの間の受信のために使用される1つ又は複数のビームと同じビームでなくてもよい。シグナリングオーバーヘッド及び遅延を減少させるために、1つ又は複数の適切なTRPビーム及び1つ又は複数の適切なUEビームを、可能な限り早くランダムアクセス手順の期間の間に決定する必要がある。
【００８６】
TRPの複数のビームをUEの側で区別することが可能である場合には、そのUEは、複数のTRPからの複数のブロードキャスト信号をモニタリングする間に、例えば、最良のビーム又は条件を満たす1つ又は複数のビーム等の1つ又は複数の適切なTRPビームを選択してもよい。その際に、UEは、Msg2を受信するための1つ又は複数の選択されたビームを使用してもよい。UEは、Msg3を使用して、TRPによる送信のために、そのUEがそのTRPのいずれのビームの使用を提案するかを示してもよい。Msg3を受信した後に、そのTRPは、ビーム掃引を実行することなく、1つ又は複数の示されたビームを使用して、Msg4を送信してもよい。いくつかの実施形態において、本明細書で使用される"条件を満たす"との記載は、"より良い又はある閾値よりも良好な"を意味する。
【００８７】
UEによるビームフォーミングを使用する場合には、UEは、送信のためのいずれのUEビームがその選択されたTRPに適しているのかを知らない可能性があるため、ビーム掃引を実行して、Msg3を送信する必要がある。そのUEは、Msg3を使用して、Msg3の送信のためにいずれのUEビームが使用されるかを示してもよい。Msg3を受信した後に、TRPは、Msg4を使用して、UEがいずれかの以降のUL送信を送信するのにいずれのUEビームを使用する必要があるのかを示してもよい。
【００８８】
例えば、ハンドオーバーに使用される競合のないランダムアクセスに場合には、ある1つのUEのために専用のプリアンブルが必要となるであろう。1つのセルのすべてのTRPの中でそのUEのために上記の専用プリアンブルが予約される必要がある場合には、その方法は、効率的ではない。代替的な手段を考慮する必要がある。
【００８９】
上記の1つ又は複数の問題を解決するために、以下で説明される1つ又は複数の動作を使用してランダムアクセス手順を実行する1つの代替的な方法を使用してもよい。
【００９０】
測定報告の中で、UEは、隣接セルの1つ又は複数のTRP(及び１つ又は複数のビーム)に関する測定された結果を提供してもよい。ソース基地局(BS)は、隣接セルを制御する目標BSにその結果を示してもよい。目標BSは、そのUEのために、いずれの目標TRPが、例えば、専用プリアンブル及び物理ランダムアクセスチャネル(PRACH)リソース等のリソースを予約するべきかを決定してもよい。その後、ソースBSは、そのUEにその目標TRPと関連する専用プリアンブルを提供するとともにPRACHリソースを提供してもよい。
【００９１】
いくつかのTRPが同じUEからMsg1を受信してもよいので、そのUEは、例えば、PRACHにおいてMsg１を使用して、そのUEがいずれのTRPにアクセスすることを望んでいるかを黙示的に又は明示的に示して、複数のTRPが、例えば、Msg2等の1つ又は複数の応答を提供するべきか否かを決定するのを支援してもよい。黙示的な指示又は明示的な指示のいくつかの代替的な方法は、以下のようになる。
-  Msg1のための、例えば、異なるタイミング及び/又は周波数等の送信リソースは、複数の異なるTRPについて異なっていてもよい。
-  Msg1によって搬送されるプリアンブルインデックスは、複数の異なるTRPについて異なっていてもよい。例えば、プリアンブルインデックス0乃至4は、TRP1のためのプリアンブルインデックスであり、プリアンブルインデックス5乃至9は、TRP2のためのプリアンブルインデックスであり、以下同様である。
-  Msg1は、部分的なTRP情報又は完全なTRP情報として、TRPを示す指標を搬送してもよい。例えば、2ビットの指標は、4つの周辺のTRPが存在する場合に十分である。
【００９２】
ランダムアクセス応答等のMsg2は、ランダムアクセス応答の完了に成功したか否かをUEが決定するために、いずれのTRPがMsg2を送信したかを黙示的に又は明示的に示してもよい。黙示的な指示又は明示的な指示のいくつかの代替的な方法は、以下のようになる。
-  Msg2は、例えば、TRPに特有のRA-RNTI等のシーケンスによってスクランブル(scrambled)されてもよい。そのシーケンスは、例えば、RA-RNTI＝1＋t_id＋10＊f_id＋100＊TRP_idにしたがって、TRP情報に基づいて計算される。Msg2が選択されたTRPによって送信された場合には、UEは、Msg2のスクランブル解除(descrambled)に成功するであろう。
-  Msg2は、例えば、TRP情報等の指標を搬送して、Msg2を送信したTRPを示してもよい。
【００９３】
図29は、1つの例を示しており、その例においては、例えば、時分割複信(TDD)の場合のように、ダウンリンク(DL)チャネル及びアップリンク(UL)チャネルが相反する関係にある場合に、目標TRPは、ビーム掃引を実行することなく、示されている測定された結果に基づいて、1つ又は複数のビームを使用して、Msg1を受信して、Msg2を送信してもよい。
【００９４】
図30は、他の1つの例を示しており、その例においては、例えば、周波数分割複信(FDD)等のように、ダウンリンク(DL)チャネル及びアップリンク(UL)チャネルが相反する関係にない場合に、送信に使用される1つ又は複数のビームは、一対のUE及びTRPの間の受信のために使用される1つ又は複数のビームと同じビームでなくてもよい。したがって、目標TRPは、示されている測定された結果に基づいて、送信のための1つ又は複数のビームを決定することができるにすぎず、目標TRPは、Msg1を受信するためにビーム掃引を実行する必要がある場合がある。UEによるビームフォーミングを使用する場合には、UEは、送信のためのいずれのUEビームが目標TRPに適しているかを知らない可能性があるため、そのUEは、Msg1を送信するためにUEによるビーム掃引を実行する必要がある。UEは、Msg1を使用して、いずれのUEビームがMsg1の送信のために使用されるかを示してもよい。Msg1を受信した後に、目標TRPは、Msg2を使用して、以降のUL送信を実行するために、UEがいずれのUEビームを使用する必要があるかを示してもよい。
【００９５】
図31に図示されているように、ランダムアクセス手順の間に、UEによって、アクセスするためのいくつかの試行を実行してもよい。例えば、ある時間期間の間に、関連するMsg2を受信することができない場合には、試行が成功しなかったと考えてもよい。ある試行が成功しなかったと考えられる場合に対処するためのいくつかの代替的な方法が存在する。
Alt1:送信電力を増加させる
失敗した試行の数がある閾値よりも小さい場合には、UEは、次の試行のための送信電力を増加させてもよい。
Alt2:ビームの更新
UEは、目標TRPによってブロードキャストされた信号を測定して、1つ又は複数の関連するTRPビーム及び/又は1つ又は複数のUEビームを更新するべきか否かを検査してもよい。失敗した試行の数がある閾値よりも大きい場合に、その検査を実行してもよい。更新するべきであると決定される場合には、失敗した試行の数のためのカウンタ及び/又は送信電力をリセットしてもよい。
Alt3:TRPの更新
目標BS又は目標TRPが、ある時間期間の間、待機して、UEによる目標TRPへの接続が成功しなかったということに気付く場合には、目標BSは、UEに1つ又は複数の信号を送信することを、その目標BSの1つ又は複数のTRPに要求してもよく、それらの1つ又は複数の信号は、ランダムアクセス手順をトリガする。例えば、LTEにおける物理ダウンリンク制御チャネル(PDCCH)の要求と同様に、それらの1つ又は複数の信号は、専用プリアンブルを含んでもよい。UEが信号を受信する場合には、進行中のランダムアクセス手順の間であっても、例えば、目標TRP及び/又は1つ又は複数の使用されているビームを変更してもよく、そのUEは、進行中のランダムアクセス手順を停止し、その信号に基づいて新たなランダムアクセス手順を開始することを決定してもよい。
Alt4:ランダムアクセス(RA)の問題を上位層に示す
(選択されたTRPを更新するために回数を計数するカウンタ等の)TRP更新カウンタが、最大数に達しているか、或いは、UEがいずれかの条件を満たすTRP又は条件を満たすビームを発見することができないときは、UEは、RAの問題を上位層に示す。
【００９６】
図32は、1つの例示的な実施形態にしたがったUEの観点からのフローチャート3200を図示している。ステップS3205において、UEは、少なくとも1つの第1のUEビームを使用してセルと通信するために、ランダムアクセス手順に関する第1の試行を実行する。ステップS3210において、第1の試行が失敗した場合に、UEは、少なくとも1つの第2のUEビームを使用してセルと通信するために、ランダムアクセス手順に関する第2の試行を実行し、第1のUEビームの方向及び第2のUEビームの方向は、異なる。
【００９７】
1つの方法において、測定に基づいて、第2のUEビームを選択する。代替的な方法では、ランダムアクセス手順に関する失敗した試行の数が、ある閾値と等しいか又はある閾値よりも大きい場合に、第1のUEビームを第2のUEビームに変更する。
【００９８】
1つの方法によれば、第1のUEビームを第2のUEビームに変更する場合に、失敗した試行の数のカウンタをリセットする。代替的に、第1のUEビームを第2のUEビームに変更する場合に、失敗した試行の数のカウンタはリセットされない。
【００９９】
1つの方法において、第1のUEビームを第2のUEビームに変更する場合に、ランダムアクセス手順に使用される送信電力をリセットする。代替的に、第1のUEビームを第2のUEビームに変更する場合に、ランダムアクセス手順に使用される送信電力は、リセットされない。
【０１００】
1つの方法において、第1のUEビームを第2のUEビームに変更する場合に、ランダムアクセス手順に関する第3の信号を使用して送信されるべきバッファリングされたデータは、保持され、又は、ディスクに書き込まれない(not  flushed)。
【０１０１】
1つの方法において、第1の試行は、少なくとも第1のUEビームを使用して、第1のランダムアクセスプリアンブルを送信するステップを含み、第2の試行は、少なくとも第2のUEビームを使用して、第2のランダムアクセスプリアンブルを送信するステップを含む。第1の試行は、ある時間期間の間に、関連するランダムアクセス応答又は関連する競合解決を受信することができない場合に失敗する。測定に基づいて、第1のUEビームを第2のUEビームに変更する。1つの実施形態において、第1のランダムアクセスプリアンブルは、第2のランダムアクセスプリアンブルと同じであってもよい。他の実施形態において、第1のランダムアクセスプリアンブルは、第2のランダムアクセスプリアンブルと異なっていてもよい。
【０１０２】
1つの方法によれば、ネットワークは、少なくとも第1のネットワークノード及び第2のネットワークノードを含むセルを形成する。ネットワークは、ランダムアクセス手順のためのリソースを割り当て、第1のネットワークノードと関連するリソースは、第2のネットワークノードと関連するリソースとは異なる。1つの方法においては、ランダムアクセス手順のためのリソースは、複数のプリアンブルシーケンスである。ランダムアクセス手順のためのリソースは、ランダムアクセス手順に関する第1の信号を送信するのに使用される時間/周波数リソースであってもよい。
【０１０３】
さらに別の方法によれば、UEは、あるセルにおいて信号を測定する測定を実行し、そのセルは、その信号をブロードキャストする複数のネットワークノードを含む。UEは、それらの複数のネットワークノードのうちのある特定のネットワークノードと通信するために、ランダムアクセス手順を実行し、その特定のネットワークノードは、測定に基づいてUEによって決定される。
【０１０４】
他の方法において、UEは、例えば、システム情報によって、上記の特定のネットワークノードから、ランダムアクセス手順を実行するのに使用される設定を受信する。代替的に、UEは、例えば、システム情報によって、上記の特定のネットワークノードとは異なるネットワークノードから、ランダムアクセス手順を実行するのに使用される設定を受信する。
【０１０５】
上記の設定は、複数の異なるネットワークノードと関連する複数のパラメータを含み、UEは、決定に基づいて、上記の特定のネットワークノードと関連する部分を使用して、ランダムアクセス手順を実行する。これらの複数のパラメータは、複数のプリアンブルシーケンスと関連している。代替的に、これらの複数のパラメータは、ランダムアクセス手順に関する第1の信号を送信するのに使用される時間/周波数リソースと関連している。
【０１０６】
1つの方法において、上記の信号は、同期信号を含む。同期信号は、一次同期信号又は二次同期信号のうちの1つ又は複数を含む。他の方法においては、上記の信号は、参照信号を含む。上記の参照信号は、以下の信号、すなわち、セル特有参照信号、マルチメディアブロードキャストマルチキャストサービス(MBMS)単一周波数ネットワーク(MBSFN)参照信号、UE特有参照信号、位置決定参照信号、チャネル状態情報(CSI)参照信号、発見信号、及びビーム特有参照信号のうちの1つ又は複数を含む。1つの方法において、信号は、例えば、いずれのネットワークノードがその信号を送信したか等のその信号の送信機を識別するのに使用されてもよい。他の方法においては、信号は、その信号を送信するのに使用された(あるネットワークノードの)少なくとも1つのビームを識別するのに使用されてもよい。さらに別の方法においては、信号は、上記の特定のネットワークノードに関する情報を示す。
【０１０７】
上記のさまざまな方法において、UEは、例えば、LTEにおけるMsg1等のランダムアクセス手順に関する第1の信号を使用して、上記の特定のネットワークノードに関する情報を示す。上記の情報は、ネットワークノードの識別情報、(ネットワークノードの)少なくとも1つのビームの識別情報、及び/又は(UEの)少なくとも1つのビームの少なくとも1つの識別情報を含んでもよい。
【０１０８】
上記の情報は、ランダムアクセス手順の間に、例えば、Msg1等のランダムアクセスプリアンブルとともに示されてもよい。代替的に、上記の情報は、UEによって選択されたプリアンブルシーケンスを使用して(黙示的に)示されてもよい。代替的に、上記の情報は、UEがプリアンブルを送信するのに使用する(時間/周波数)リソースを使用して(黙示的に)示されてもよい。さらに別の方法において、上記の情報は、LTEにおけるMsg1と同様にメッセージ等のランダムアクセス手順に関する第1の信号の中に含められてもよい。
【０１０９】
他の方法において、UEは、セルにおいてランダムアクセス手順に関する第1の信号を送信し、そのセルにおいて第1の信号に対する応答を少なくともモニタリングする。UEは、応答が特定のネットワークノードによって送信された場合には、その応答を利用するであろう。UEは、応答が特定のネットワークノードによって送信されていない場合には、その応答を利用しないであろう。UEは、上記の特定のネットワークノードを測定に基づいて決定し、その測定においては、UEは、その測定によって得られる条件を満たす測定結果にしたがって、1つのネットワークノードを選択する。代替的に、UEは、上記の特定のネットワークノードを測定に基づいて決定し、その測定においては、UEは、その測定によって得られる最良の測定結果にしたがって1つのネットワークノードを選択する。
【０１１０】
上記のさまざまな方法において、UEは、特定のネットワークノードを決定した後に、ランダムアクセス手順を開始する。代替的に、UEは、特定のネットワークノードを決定する前に、ランダムアクセス手順を開始する。
【０１１１】
1つの方法において、ネットワークノードは、UEからランダムアクセス手順に関する第1の信号を受信する。ネットワークノードは、その後、第1の信号の宛先を導き出す。その宛先がそのネットワークノードである場合には、そのネットワークノードは、UEにランダムアクセス手順に関する第2の信号を送信して、第1の信号に応答する。宛先は、ネットワークノードの識別情報によって示されていてもよい。上記の方法の別のステップにおいては、その宛先がそのネットワークノードではない場合には、そのネットワークノードは、第1の信号に応答しない。別の方法においては、ネットワークノードは、第1の信号のプリアンブルシーケンスに基づいて、宛先を導き出してもよい。代替的に、ネットワークノードは、第1の信号によって使用される(時間/周波数)リソースによって宛先を導き出してもよい。さらに別の方法においては、ネットワークノードは、第1の信号を復号することによって宛先を導き出してもよい。
【０１１２】
別の方法において、ネットワークノードは、UEからランダムアクセス手順に関する第1の信号を受信する。ネットワークノードは、UEにランダムアクセス手順に関する第2の信号を送信して、第1の信号に応答し、第2の信号は、そのネットワークノードの情報を示す。その情報は、そのネットワークノードの識別情報及び/又は(そのネットワークノードの)少なくとも1つのビームの識別情報を含む。その情報は、RA-RNTI等のシーケンスに従って計算されてもよい。
【０１１３】
別の方法において、UEは、セルと通信するために、ランダムアクセス手順を実行する。UEは、そのセルにおいて、ランダムアクセス手順に関する第1の信号を送信する。UEは、そのセルにおいて、第1の信号の応答を少なくともモニタリングする。UEは、その後、その応答の受信した信号品質に基づいて、その応答を利用するべきか否かを決定する。1つの方法において、その信号品質がある閾値と等しいか又はある閾値よりも大きい場合には、UEは、その応答を利用する。代替的に、その信号品質が、ある時間期間の間に受信した応答のうちのすべての応答の中で最良の信号品質である場合には、UEは、その応答を利用する。別の方法において、その信号品質が条件を満たしている場合には、UEは、その応答を利用する。いくつかの方法において、その応答は、LTEにおけるランダムアクセス手順に関するMsg2と同様のメッセージである。上記の開示された方法において、"モニタリング"手段は、(ある時間期間の間)第1の信号の応答を受信する。他の方法において、UEがその応答を利用するということを決定した後に、そのUEは、モニタリングを終了してもよい。代替的に、UEがその応答を利用するということを決定した後に、そのUEは、他の応答のモニタリングを継続してもよい。上記の開示された方法において、"応答を利用すること"は、例えば、ランダムアクセス(RA)プリアンブル識別子、タイミング整列情報、最初のアップリンク(UL)グラント、又は一時的なC-RNTI等のその応答に含まれている情報を適用することを意味する。上記の信号品質は、(例えば、受信した電力等の)信号の強度、チャネル品質、及び/又はネットワークノードの条件を満たすビームの数に関していてもよい。
【０１１４】
別の方法によれば、UEは、セルの第1のネットワークノードと通信するために、ランダムアクセス手順に関する第1の試行を実行する。第1の試行が失敗した場合に、UEは、そのセルの第2のネットワークノードと通信するために、ランダムアクセス手順に関する第2の試行を実行し、測定に基づいて、第1のネットワークノードを第2のネットワークノードに変更する。1つの方法において、上記の測定に基づいて、第2のネットワークノードを選択する。別の方法において、ランダムアクセス手順に関する失敗した試行の数が、ある閾値と等しいか又はある閾値よりも大きい場合に、第1のネットワークノードを第2のネットワークノードに変更する。
【０１１５】
他の方法において、第1のネットワークノードを第2のネットワークノードに変更する場合には、失敗した試行の数のためのカウンタをリセットする。代替的に、第1のネットワークノードを第2のネットワークノードに変更する場合には、失敗した試行の数のためのカウンタをリセットしない。1つの方法において、第1のネットワークノードを第2のネットワークノードに変更する場合には、ランダムアクセス手順の間のネットワークノードの変更の回数を計数するのに使用するカウンタを増加させる。
【０１１６】
1つの方法において、第1のネットワークノードを第2のネットワークノードに変更する場合には、ランダムアクセス手順に使用される送信電力をリセットする。代替的に、第1のネットワークノードを第2のネットワークノードに変更する場合には、ランダムアクセス手順に使用される送信電力をリセットしない。
【０１１７】
1つの方法において、第1のネットワークノードを第2のネットワークノードに変更する場合には、ランダムアクセス手順に関する第3の信号を使用して送信されるべきバッファリングされたデータは、保持され、又は、ディスクに書き込まれない(not  flushed)。
【０１１８】
別の方法によれば、UEは、セルと通信するために、ランダムアクセス手順を実行する。UEは、その後、少なくとも1つのUEビームを使用して、ランダムアクセス手順に関する信号を送信し、その信号は、UEビームの情報を示す。1つの方法において、その信号は、第1の信号である。代替的に、その信号は、第3の信号である。他の方法において、上記の情報は、少なくとも、UEの少なくとも1つのUEビームに関する識別情報である。
【０１１９】
1つの方法において、ネットワークノードは、UEからランダムアクセス手順に関する信号を受信し、その信号は、UEの少なくとも1つのUEビームの情報を示す。ネットワークノードは、UEに他の信号を送信して、その情報を示す。1つの方法において、その"信号"は、第1の信号である。代替的に、その"信号"は、第3の信号である。1つの方法において、"他の信号"は、LTEにおけるランダムアクセス手順に関するMsg2と同様の第2の信号である。1つの方法において、"他の信号"は、LTEにおけるランダムアクセス手順に関するMsg4と同様の第4の信号である。いくつかの方法において、"他の信号"は、常に、その"信号"の後に送信される。いくつかの方法において、その情報は、UEの少なくとも1つのUEビームに関する識別情報である。
【０１２０】
1つの方法によれば、ある1つのセルのネットワークノードは、UEに信号を送信し、その信号は、複数のネットワークノードを含む他のセルの他のネットワークノードと通信するためのランダムアクセス手順をトリガし、その信号は、他のネットワークノードの情報を含む。1つの方法において、その信号は、LTEにおけるランダムアクセス手順に関するMsg0と同様のメッセージである。その信号は、ハンドオーバー(HO)コマンドを使用して送信されてもよい。その信号は、物理ダウンリンク制御チャネル(PDCCH)を使用して送信されてもよい。1つの方法において、その信号は、非競合ランダムアクセスプリアンブルを含む。
【０１２１】
本明細書において開示されているさまざまな方法において、測定は、例えば、受信電力等の信号の強度を測定する。測定は、UEとネットワークノードとの間のチャネル品質を測定するのに使用される。測定は、ネットワークノードの条件を満たすビームの数を測定するのに使用される。
【０１２２】
さまざまな方法において、ビームが条件を満たす(又は、ネットワークノードが条件を満たす)ということは、信号の強度が、ある閾値と等しいか又はある閾値よりも大きいということを意味する。代替的に、ビームが条件を満たす(又は、ネットワークノードが条件を満たす)ということは、チャネル品質が、ある閾値と等しいか又はある閾値よりも高いということを意味する。代替的に、ネットワークノードが条件を満たすということは、そのネットワークノードの条件を満たすビームの数が、ある閾値よりも大きいということを意味する。
【０１２３】
さまざまな方法において、第1の信号は、LTEにおけるMsg1のシグナリング搬送部分又はLTEにおけるMsg1のすべてのコンテンツであってもよい。さまざまな方法において、第2の信号は、LTEにおけるMsg2のすべてのコンテンツのうちのシグナリング搬送部分であってもよい。さまざまな方法において、第3の信号は、LTEにおけるランダムアクセス手順に関するMsg3と同様であってもよい。
【０１２４】
さまざまな方法において、上記の情報は、識別情報である。上記の情報を、明示的な方法で提供してもよく、或いは、(例えば、他の情報から導出する等によって)黙示的な方法で提供してもよい。
【０１２５】
さまざまな方法において、UEによるビームフォーミングを使用して測定を実行してもよく、又は、UEによるビームフォーミングを使用しないで測定を実行してもよい。さまざまな方法において、UEは、少なくとも、セルの同期信号を測定することによって、測定を実行する。代替的に、UEは、少なくとも、セルの参照信号を測定することによって、測定を実行する。代替的に、UEは、少なくとも、セルの発見信号を測定することによって、測定を実行する。
【０１２６】
さまざまな方法において、ランダムアクセス手順は、競合ベースのランダムアクセス手順であってもよい。代替的に、ランダムアクセス手順は、非競合ベースの(すなわち、競合のない)ランダムアクセス手順であってもよい。さまざまな方法において、ランダムアクセス手順は、ネットワークノードによって開始されてもよい。代替的に、ランダムアクセス手順は、UEによって開始されてもよい。さまざまな方法において、ダウンリンクとアップリンクは、相反する関係にあってもよい。代替的に、ダウンリンクとアップリンクは、相反する関係になくてもよい。
【０１２７】
さまざまな方法において、セルは、UEのサービングセルであり、"他のセル"は、UEの隣接セルである。さまざまな方法において、セルは、1つのネットワークノードを含む。代替的に、セルは、複数のネットワークノードを含む。
【０１２８】
さまざまな方法において、ネットワークノードは、中央ユニット(CU)、分散ユニット(DU)、送信/受信点(TRP)、基地局(BS)、又は5Gノードであってもよい。他の方法において、ネットワークノードは、複数のネットワークノードを含むセルと関連していてもよい。
【０１２９】
さまざまな方法において、UEビームは、送信のためのビームである。代替的に、UEビームは、受信のためのビームである。さまざまな方法において、UEは、UEによるビームフォーミングを使用することが可能であってもよい。さまざまな方法において、セルが、UEによるビームフォーミングをサポートしていない(又は、可能としていない)場合には、UEは、UEによるビームフォーミングを使用しない。
【０１３０】
さまざまな方法において、UEは、送信又は受信のために、ビーム掃引を使用してもよい。代替的に、UEは、送信又は受信のために、ビーム掃引を使用しなくてもよい。
【０１３１】
さまざまな方法において、UEは、非接続状態となっている。他の方法において、UEは、アイドル状態となっている。他の方法において、UEは、非アクティブ状態となっている。他の方法において、UEは、そのUEが無線リソース制御(RRC)接続を有していない状態となっている。さらに別の方法において、UEは、そのUEがコアネットワークへの接続を有していない状態となっている。他の方法において、UEは、そのUEが、ある時間期間の間、データトラフィックを必要としない状態となっている。他の方法において、UEは、そのUEのモビリティがネットワークによって大まかに追跡されている状態となっている。他の方法において、UEは、接続状態(又は、接続モード)となっている。
【０１３２】
図3及び図4を参照すると、1つの実施形態において、デバイス300は、メモリ300に格納されているプログラムコード312を含む。CPU308は、プログラムコード312を実行して、UEが、(ｉ)  少なくとも1つの第1のUEビームを使用してセルと通信するために、ランダムアクセス手順に関する第1の試行を実行し、(ii)  第1の試行が失敗した場合に、少なくとも1つの第2のUEビームを使用してセルと通信するために、ランダムアクセス手順に関する第2の試行を実行する、ことを可能としてもよく、第1のUEビームの方向及び第2のUEビームの方向は、異なっている。
【０１３３】
他の実施形態において、CPU308は、プログラムコード312を実行して、ネットワークが、(ｉ)  少なくとも、第1のネットワークノード及び第2のネットワークノードを含むセルを形成し、(ii)  ランダムアクセス手順のためのリソースを割り当てる、ことを可能としてもよく、第1のネットワークノードと関連するリソースは、第2のネットワークノードと関連するリソースと異なっている。
【０１３４】
他の実施形態において、CPU308は、さらに、プログラムコード312を実行して、UEが、(ｉ)   信号をブロードキャストしている複数のネットワークノードを含むセルにおいてその信号を測定するための測定を実行し、 (ii)  それらの複数のネットワークノードのうちの1つの特定のネットワークノードと通信するために、ランダムアクセス手順を実行する、ことを可能としてもよく、その特定のネットワークノードは、測定に基づいてUEによって決定される。
【０１３５】
他の実施形態において、CPU308は、さらに、プログラムコード312を実行して、ネットワークノードが、(ｉ)  UEからランダムアクセス手順に関する第1の信号を受信し、(ii)  第1の信号の宛先を導き出し、(iii)  その宛先がそのネットワークノードである場合に、UEにランダムアクセス手順に関する第2の信号を送信して、第1の信号に応答する、ことを可能としてもよい。
【０１３６】
他の実施形態において、CPU308は、さらに、プログラムコード312を実行して、ネットワークノードが、(ｉ)  UEからランダムアクセス手順に関する第1の信号を受信し、(ii)  UEにランダムアクセス手順に関する第2の信号を送信して、第1の信号に応答する、ことを可能としてもよく、第2の信号は、そのネットワークノードの情報を示す。
【０１３７】
他の実施形態において、CPU308は、さらに、プログラムコード312を実行して、UEが、(ｉ)  セルと通信するために、ランダムアクセス手順を実行し、(ii)  そのセルにおいて、そのランダムアクセス手順に関する第1の信号を送信し、(iii)  そのセルにおいて、少なくとも、第1の信号に対する応答をモニタリングし、(iv)  その応答の受信した信号品質に基づいて、その応答を利用するべきか否かを決定する、ことを可能としてもよい。
【０１３８】
他の実施形態において、CPU308は、さらに、プログラムコード312を実行して、UEが、(ｉ)  セルの第1のネットワークノードと通信するために、ランダムアクセス手順に関する第1の試行を実行し、(ii)  第1の試行が失敗した場合に、そのセルの第2のネットワークノードと通信するために、ランダムアクセス手順に関する第2の試行を実行する、ことを可能としてもよく、第1のネットワークノードは、測定に基づいて、第2のネットワークノードに変更される。
【０１３９】
他の実施形態において、CPU308は、さらに、プログラムコード312を実行して、UEが、(ｉ)  セルと通信するために、ランダムアクセス手順を実行し、(ii)  少なくとも1つのUEビームを使用してランダムアクセス手順に関する信号を送信する、ことを可能としてもよく、その信号は、そのUEビームの情報を示す。
【０１４０】
他の実施形態において、CPU308は、さらに、プログラムコード312を実行して、ネットワークノードが、(ｉ)  UEから、そのUEの少なくとも1つのUEビームの情報を示すとともにランダムアクセス手順に関する信号を受信し、(ii)  そのUEに他の信号を送信して、そのUEビームの情報を示す、ことを可能としてもよい。
【０１４１】
さらに、CPU308は、プログラムコード312を実行して、本明細書で説明された上記の動作及びステップ又は他の方法のすべてを実行してもよい。
【０１４２】
本発明によれば、ランダムアクセス手順が最適化され、例えば、電力消費、遅延、シグナリングオーバーヘッド、リソースの浪費、及び/又は競合を低減することが可能であり、ランダムアクセス手順の間にUEによるビームフォーミングをより効果的に利用することが可能である。
【０１４３】
本開示のさまざまな態様が、上記で説明されている。本明細書における教示を種々多様な形態で実体化することができ、本明細書で開示されているいずれかの特定の構造、機能、又はそれらの双方は、代表的なものとして示されているにすぎないということが明らかとなるはずである。本明細書における教示に基づいて、いずれかの他の態様とは無関係に、本明細書で開示されたある1つの態様を実装することが可能であり、さまざまな方法で、これらの態様のうちの2つ又はそれ以上の態様を組み合わせることが可能であるということを、当業者は理解することができるはずである。例えば、本明細書に記載されている複数の態様のうちのいくつかを使用して、装置を実装することが可能であり、又は、方法を実用化することが可能である。さらに、本明細書に記載されている複数の態様のうちの1つ又は複数に加えて、或いは、それらの態様のうちの1つ又は複数以外に、他の構造、機能、又は他の構造及び機能を使用して、そのような装置を実装することが可能であり、又は、そのような方法を実用化することが可能である。上記の複数の概念のいくつかのうちの1つの例として、いくつかの態様において、パルス繰り返し周波数に基づいて、複数の同時の並列的なチャネルを確立してもよい。いくつかの態様において、パルス位置又はオフセットに基づいて、複数の同時の並列的なチャネルを確立してもよい。いくつかの態様において、時間ホッピングシーケンスに基づいて、複数の同時の並列的なチャネルを確立してもよい。いくつかの態様において、パルス繰り返し周波数、パルス位置又はオフセット、及び時間ホッピングシーケンスに基づいて、複数の同時の並列的なチャネルを確立してもよい。
【０１４４】
さまざまな異なる科学技術及び技法のいずれかを使用することにより、情報及び信号を表現してもよいということを、当業者は理解するであろう。例えば、上記の発明の詳細な説明を通じて言及されているデータ、命令、コマンド、情報、信号、ビット、シンボル、及びチップを、電圧、電流、電磁波、磁界又は磁気的な粒子、光学場又は光学的な粒子、又はこれらのいずれかの組み合わせによって表現してもよい。
【０１４５】
本明細書において開示されている複数の態様と関連して説明されるさまざまな例示的な論理ブロック、モジュール、プロセッサ、手段、回路、及びアルゴリズムのステップを、(例えば、情報源符号化又はいくつかの他の技術を使用することにより設計することが可能であるディジタル的な実装、アナログ的な実装、又はそれらの2つの組み合わせ等の)電子機器、(例えば、本明細書においては利便性の観点から"ソフトウェア"又は"ソフトウェアモジュール"と称される)さまざまな形態のプログラム命令又は設計コード組み込み命令、又は双方の組み合わせとして実装してもよいということを、当業者はさらに理解するであろう。上記のハードウェア及びソフトウェアの互換性を明確に説明するために、さまざまな例示的な構成要素、ブロック、モジュール、回路、及びステップは、それらの機能について上記で一般的に説明されてきた。そのような機能をハードウェアとして実装するか又はソフトウェアとして実装するかは、全体的なシステムに課される設計上の制約及び特定の用途によって決まる。当業者は、複数の特定の用途の各々について異なる方法で上記の機能を実装してもよいが、実装の際のそのような判断は、本開示の範囲から逸脱するものと解釈されるべきではない。
【０１４６】
さらに、本明細書において開示されている複数の態様と関連して説明されるさまざまな例示的な論理ブロック、モジュール、及び回路を、集積回路(IC)、アクセス端末、又はアクセスポイントの中で実装してもよく、或いは、集積回路(IC)、アクセス端末、又はアクセスポイントによって実行してもよい。ICは、汎用プロセッサ、ディジタル信号プロセッサ(DSP)、特定用途向け集積回路(ASIC)、フィールドプログラマブルゲートアレイ(FPGA)又は他のプログラマブル論理デバイス、個別のゲートロジック又は個別のトランジスタロジック、個別のハードウェア構成要素、電子機器、光学的な構成要素、機械的な構成要素、又はそれらのいずれかの組み合わせを含んでもよく、これらの構成要素は、本明細書において説明される複数の機能を実行するように設計され、ICは、複数のコード又は命令を実行してもよく、それらの複数のコード又は命令は、ICの内部、ICの外部、又はその双方に位置していてもよい。汎用プロセッサは、マイクロプロセッサであってもよいが、選択的に、プロセッサは、いずれかの伝統的なプロセッサ、コントローラ、マイクロコントローラ、又は状態マシンであってもよい。プロセッサは、例えば、DSP及びマイクロプロセッサの組み合わせ、複数のマイクロプロセッサの組み合わせ、DSPコアと関連している1つ又は複数のマイクロプロセッサの組み合わせ、又はいずれかの他のそのような構成等の複数のコンピューティングデバイスの組み合わせとして実装されてもよい。
【０１４７】
いずれかの開示されているプロセスの複数のステップのいずれかの特定の順序又は序列は、実例としてのアプローチの1つの例であるということを理解すべきである。設計上の嗜好に応じて、本開示の範囲内にとどまるようにしつつ、それらのプロセスの複数のステップの特定の順序又は序列を再配列してもよいということを理解すべきである。添付の複数の方法の請求項は、ある例示的な順序でさまざまなステップの要素を提示しているが、このことは、提示されている特定の順序又は序列に限定されるということを意図したものではない。
【０１４８】
本明細書で開示されている複数の態様と関連して説明される方法又はアルゴリズムの複数のステップを、ハードウェアによって、プロセッサで実行されるソフトウェアモジュールによって、或いは、それらの2つの組み合わせによって直接的に実体化してもよい。(例えば、実行可能な命令及び関連するデータを含む)ソフトウェアモジュール及び他のデータは、RAMメモリ、フラッシュメモリ、ROMメモリ、EPROMメモリ、EEPROMメモリ、レジスタ、ハードディスク、取り外し可能なディスク、CD-ROM、又は本発明の技術分野で知られているコンピュータ読み取り可能な記憶媒体のいずれかの他の形態等のデータメモリの中に位置していてもよい。例えば、(本明細書においては、利便性の観点から"プロセッサ"と称される)コンピュータ/プロセッサ等の機械に例示的な記憶媒体を接続してもよく、それによって、そのプロセッサは、その記憶媒体から(例えば、コード等の)情報を読み出し、その記憶媒体に情報を書き込むことが可能となる。例示的な記憶媒体は、そのプロセッサに不可欠なものであってもよい。上記のプロセッサ及び記憶媒体は、1つのASICの中に位置していてもよい。そのASICは、ユーザ機器(UE)の中に位置していてもよい。選択的に、上記のプロセッサ及び記憶媒体は、ユーザ機器の中に個別の構成要素として存在していてもよい。さらに、いくつかの態様において、いずれかの適切なコンピュータプログラム製品は、コンピュータ読み取り可能な媒体を含んでもよく、そのコンピュータ読み取り可能な媒体は、本開示の複数の態様のうちの1つ又は複数に関する複数のコードを含んでもよい。いくつかの態様において、コンピュータプログラム製品は、複数のパッケージング素材を含んでもよい。
【０１４９】
本発明は、さまざまな態様と関連して説明されてきたが、本発明は、さらなる改変が可能であるということが理解されるであろう。この出願は、一般的に、本発明の概念にしたがうとともに本開示からの上記の発展又は展開を含む発明のいずれかの変形、使用、又は適用を対象とするように意図されており、本開示からの上記の発展又は展開は、本発明に関する技術分野の範囲内の知られた慣習的な慣行の範囲内に入る。
【図１】
2018033129.tif 000003
【図２】
2018033129.tif 000004
【図３】
2018033129.tif 000005
【図４】
2018033129.tif 000006
【図５】
2018033129.tif 000007
【図６】
2018033129.tif 000008
【図７】
2018033129.tif 000009
【図８】
2018033129.tif 000010
【図９】
2018033129.tif 000011
【図１０】
2018033129.tif 000012
【図１１】
2018033129.tif 000013
【図１２】
2018033129.tif 000014
【図１３】
2018033129.tif 000015
【図１４】
2018033129.tif 000016
【図１５】
2018033129.tif 000017
【図１６】
2018033129.tif 000018
【図１７】
2018033129.tif 000019
【図１８】
2018033129.tif 000020
【図１９】
2018033129.tif 000021
【図２０】
2018033129.tif 000022
【図２１】
2018033129.tif 000023
【図２２】
2018033129.tif 000024
【図２３】
2018033129.tif 000025
【図２４】
2018033129.tif 000026
【図２５】
2018033129.tif 000027
【図２６】
2018033129.tif 000028
【図２７】
2018033129.tif 000029
【図２８】
2018033129.tif 000030
【図２９】
2018033129.tif 000031
【図３０】
2018033129.tif 000032
【図３１】
2018033129.tif 000033
【図３２】
2018033129.tif 000034
【外国語明細書】
2018033129000001.pdf